(57)【特許請求の範囲】
【請求項１】
複数のサブフレームに分割される周波数および時間が示されたリソースグリッドを使用して、ワイヤレス通信システム（ＷＣＳ）の基地局からの共通のキャリア上のダウンリンク制御信号を管理するための方法であって、前記方法は前記基地局が実行し、前記方法は、
前記基地局からの送信において指定されたダウンリンク制御信号を欠いている共通のキャリア上のサブフレームの指定されたセットを維持するために、前記ＷＣＳのネットワークエンティティから、第１のインジケーションを受信することと、ここにおいて、前記第１のインジケーションは、前記指定されたセットに前記共通のキャリアのどのサブフレームを含めるかを前記基地局が識別することを可能にする情報を含む、
第２のインジケーションを、ワイヤレス送信でモバイルエンティティに提供することと、ここにおいて、前記第２のインジケーションは、前記共通のキャリアのサブフレームうちのいずれが前記サブフレームの指定されたセットを含むかを前記モバイルエンティティが識別することを可能にする情報を含む、
アップリンクハイブリッド自動再送要求（Ｈ−ＡＲＱ）のタイミング関係に基づいて、前記サブフレームの指定されたセットと関連付けられるアップリンクサブフレーム中で、物理アップリンク共有チャネル（ＰＵＳＣＨ）送信を受信することと
を備える、方法。
【請求項２】
サブフレームの前記指定されたセットは、制御シグナリングを含むサブフレームと前記共通のキャリアを共有する、請求項１に記載の方法。
【請求項３】
前記基地局によってサービスされるモバイルエンティティのサブセットに対する前記指定されたダウンリンク制御信号を欠いた、前記サブフレームの指定されたセットを維持することをさらに備える、
請求項１に記載の方法。
【請求項４】
前記基地局によってサービスされるすべてのモバイルエンティティに対する前記指定されたダウンリンク制御信号を欠いた、前記サブフレームの指定されたセットを維持することをさらに備える、
請求項１に記載の方法。
【請求項５】
前記第２のインジケーションを提供することは、クロスサブフレームスケジューリングを使用して、前記サブフレームの指定されたセットを示すことをさらに備える、請求項１に記載の方法。
【請求項６】
前記指定されたダウンリンク制御信号を欠いた、前記サブフレームの指定されたセットを維持することをさらに備え、前記指定されたダウンリンク制御信号は、レガシー制御領域からの信号である、
請求項１に記載の方法。
【請求項７】
前記基地局によってサービスされるモバイルエンティティの少なくとも１つのサブセットに対する前記サブフレームの指定されたセットと関連付けられる少なくとも１つのサブフレーム中で、新たな制御領域からのダウンリンク制御信号をスケジューリングすることをさらに備える、
請求項１に記載の方法。
【請求項８】
前記基地局によってサービスされるモバイルエンティティの少なくとも１つのサブセットに対する前記サブフレームの指定されたセットと関連付けられる前記少なくとも１つのサブフレーム中で、物理ダウンリンク共有チャネル（ＰＤＳＣＨ）を送信することをさらに備える、
請求項７に記載の方法。
【請求項９】
前記アップリンクＨ−ＡＲＱのタイミング関係に基づいて、前記サブフレームの指定されたセットの１つの中で、新たな制御領域を使用した制御信号によってスケジューリングされる適応ＰＵＳＣＨ送信を受信することをさらに備える、
請求項１に記載の方法。
【請求項１０】
前記アップリンクサブフレームにおいて、半永続スケジューリング（ＳＰＳ）送信を受信することをさらに備える、
請求項１に記載の方法。
【請求項１１】
アップリンクＨ−ＡＲＱのタイミング関係に基づいて、前記サブフレームの指定されたセットの１つと関連付けられるアップリンクサブフレーム中で、ＰＵＳＣＨ送信を中止することをさらに備える、
請求項１に記載の方法。
【請求項１２】
モバイルエンティティに対する前記サブフレームの指定されたセット以外のサブフレームのみで、レガシー制御領域を使用して、物理ダウンリンク制御チャネル（ＰＤＣＣＨ）信号をスケジューリングすることをさらに備える、
請求項１に記載の方法。
【請求項１３】
前記ＰＤＣＣＨ信号をスケジューリングすることは、サブフレームの何個の指定されたセットがＰＤＣＣＨ信号を欠いているかに関係なく、ＰＤＣＣＨ信号に対する一定の数のブラインド復号動作を維持することをさらに備える、
請求項１２に記載の方法。
【請求項１４】
前記モバイルエンティティに対する複数のサブフレームのためのダウンリンクデータ送信をスケジューリングする情報を含む、第１のサブフレームにおいて、前記ＰＤＣＣＨ信号をスケジューリングすることをさらに備える、
請求項１２に記載の方法。
【請求項１５】
前記第１のサブフレームにおいて、前記モバイルエンティティに固有の複数の検索空間を割り当てることをさらに備え、各検索空間は、対応するダウンリンクデータ送信のサブフレームインデックスに少なくとも一部に基づく、
請求項１４に記載の方法。
【請求項１６】
複数のサブフレームに分割される周波数および時間が示されたリソースグリッドを使用して、ワイヤレス通信システム（ＷＣＳ）の基地局からのダウンリンク制御信号を管理するための装置であって、
前記基地局からの送信において、指定されたダウンリンク制御信号を欠いている共通のキャリア上のサブフレームの指定されたセットを維持するために、前記ＷＣＳのネットワークエンティティから、第１のインジケーションを受信するための手段と、ここにおいて、前記第１のインジケーションは、前記指定されたセットに前記共通のキャリアのどのサブフレームを含めるかを前記基地局が識別することを可能にする情報を含む、
第２のインジケーションを、ワイヤレス送信でモバイルエンティティに提供するための手段と、ここにおいて、前記第２のインジケーションは、前記共通のキャリアのサブフレームうちのいずれが前記サブフレームの指定されたセットを含むかを前記モバイルエンティティが識別することを可能にする、
アップリンクハイブリッド自動再送要求（Ｈ−ＡＲＱ）のタイミング関係に基づいて、サブフレームの前記指定されたセットと関連付けられるアップリンクサブフレーム中で、物理アップリンク共有チャネル（ＰＵＳＣＨ）送信を受信するための手段と
を備える、装置。
【請求項１７】
複数のサブフレームに分割される周波数および時間が示されたリソースグリッドを使用して、ワイヤレス通信システム（ＷＣＳ）の基地局からのダウンリンク制御信号を管理するための装置であって、
前記基地局からの送信において、指定されたダウンリンク制御信号を欠いている共通のキャリア上でサブフレームの指定されたセットを維持するために、前記ＷＣＳのネットワークエンティティから、第１のインジケーションを受信し、ここにおいて、前記第１のインジケーションは、前記指定されたセットに前記共通のキャリアのどのサブフレームを含めるかを前記基地局が識別することを可能にする情報を含む、
第２のインジケーションを、ワイヤレス送信でモバイルエンティティに提供し、ここにおいて、前記第２のインジケーションは、前記共通のキャリアのサブフレームうちのいずれが前記サブフレームの指定されたセットを含むかを前記モバイルエンティティが識別することを可能にする情報を含む、
アップリンクハイブリッド自動再送要求（Ｈ−ＡＲＱ）のタイミング関係に基づいて、前記サブフレームの指定されたセットと関連付けられるアップリンクサブフレーム中で、物理アップリンク共有チャネル（ＰＵＳＣＨ）送信を受信する
ために構成される、少なくとも１つのプロセッサと、
前記少なくとも１つのプロセッサに結合された、データを記憶するためのメモリと
を備える、装置。
【請求項１８】
サブフレームの前記指定されたセットは、制御シグナリングを含むサブフレームと前記共通のキャリアを共有する、請求項１７に記載の装置。
【請求項１９】
前記プロセッサは、前記基地局によってサービスされるモバイルエンティティのサブセットに対する前記指定されたダウンリンク制御信号を欠いた、前記サブフレームの指定されたセットを維持するためにさらに構成される、
請求項１７に記載の装置。
【請求項２０】
前記プロセッサは、前記基地局によってサービスされるすべてのモバイルエンティティに対する前記指定されたダウンリンク制御信号を欠いた、前記サブフレームの指定されたセットを維持するためにさらに構成される、
請求項１７に記載の装置。
【請求項２１】
前記プロセッサは、クロスサブフレームスケジューリングを使用して、前記サブフレームの指定されたセットを示すことによって、前記第２のインジケーションを提供するためにさらに構成される、
請求項１７に記載の装置。
【請求項２２】
前記プロセッサは、前記指定されたダウンリンク制御信号を欠いた、前記サブフレームの指定されたセットを維持するためにさらに構成され、前記指定されたダウンリンク制御信号は、レガシー制御領域からの信号である、
請求項１７に記載の装置。
【請求項２３】
前記プロセッサはさらに、前記基地局によってサービスされるモバイルエンティティの少なくとも１つのサブセットに対する前記サブフレームの指定されたセットと関連付けられる少なくとも１つのサブフレーム中で、新たな制御領域からのダウンリンク制御信号をスケジューリングするために構成される、
請求項１７に記載の装置。
【請求項２４】
前記プロセッサは、前記アップリンクＨ−ＡＲＱのタイミング関係に基づいて、前記サブフレームの指定されたセットの１つの中で、新たな制御領域を使用した制御信号によってスケジューリングされる適応ＰＵＳＣＨ送信を受信するためにさらに構成される、請求項１７に記載の装置。
【請求項２５】
前記プロセッサは、前記アップリンクサブフレームにおいて、半永続スケジューリング（ＳＰＳ）送信を受信するためにさらに構成される、
請求項１７に記載の装置。
【請求項２６】
前記プロセッサは、アップリンクＨ−ＡＲＱのタイミング関係に基づいて、前記サブフレームの指定されたセットの１つと関連付けられるアップリンクサブフレーム中で、ＰＵＳＣＨ送信を中止するためにさらに構成される、
請求項１７に記載の装置。
【請求項２７】
前記プロセッサは、モバイルエンティティに対する前記サブフレームの指定されたセット以外のサブフレームのみで、レガシー制御領域を使用して、物理ダウンリンク制御チャネル（ＰＤＣＣＨ）信号をスケジューリングするためにさらに構成される、
請求項１７に記載の装置。
【請求項２８】
前記プロセッサは、サブフレームの何個の指定されたセットがＰＤＣＣＨ信号を欠いているかに関係なく、ＰＤＣＣＨ信号に対する一定の数のブラインド復号動作を維持することによって、前記ＰＤＣＣＨ信号をスケジューリングするためにさらに構成される、請求項２７に記載の装置。
【請求項２９】
前記プロセッサは、前記モバイルエンティティに対する複数のサブフレームのためのダウンリンクデータ送信をスケジューリングする情報を含む、第１のサブフレームにおいて、前記ＰＤＣＣＨ信号をスケジューリングするためにさらに構成される、
請求項２７に記載の装置。
【請求項３０】
前記プロセッサは、前記第１のサブフレームにおいて、前記モバイルエンティティに固有の複数の検索空間を割り当てるためにさらに構成され、各検索空間は、対応するダウンリンクデータ送信のサブフレームインデックスに少なくとも一部に基づく、
請求項２９に記載の装置。
【請求項３１】
共通のキャリア上の複数のサブフレームに分割される周波数および時間が示されたリソースグリッドを使用して、ワイヤレス通信システム（ＷＣＳ）の基地局からのダウンリンク制御信号を管理するためのコンピュータプログラムであって、
前記基地局からの送信において、指定されたダウンリンク制御信号を欠いている共通のキャリア上でサブフレームの指定されたセットを維持するために、前記ＷＣＳのネットワークエンティティから、第１のインジケーションを受信し、ここにおいて、前記第１のインジケーションは、前記指定されたセットに前記共通のキャリアのどのサブフレームを含めるかを前記基地局が識別することを可能にする情報を含む、
第２のインジケーションを、ワイヤレス送信でモバイルエンティティに提供し、ここにおいて、前記第２のインジケーションは、前記共通のキャリアのサブフレームうちのいずれが前記サブフレームの指定されたセットを含むかを前記モバイルエンティティが識別することを可能にする、
アップリンクハイブリッド自動再送要求（Ｈ−ＡＲＱ）のタイミング関係に基づいて、前記サブフレームの指定されたセットと関連付けられるアップリンクサブフレーム中で、物理アップリンク共有チャネル（ＰＵＳＣＨ）送信を受信する
ためのコードを備える、コンピュータプログラム。
【請求項３２】
複数のサブフレームに分割される周波数および時間が示されたリソースグリッドを使用して、ワイヤレス通信システム（ＷＣＳ）のモバイルエンティティにおいて共通のキャリア上のダウンリンク制御信号を使用するための方法であって、前記方法は前記モバイルエンティティによって実行され、前記方法は、
前記ＷＣＳの基地局からインジケーションを受信することと、
前記インジケーションに基づいて、前記基地局が送信しようとしている共通のキャリアのどのサブフレームがダウンリンク制御信号を欠いているサブフレームの指定されたセットを含むかを識別することと、
アップリンクハイブリッド自動再送要求（Ｈ−ＡＲＱ）のタイミング関係に基づいて、前記サブフレームの指定されたセットの１つと関連付けられるアップリンクサブフレーム中で、物理アップリンク共有チャネル（ＰＵＳＣＨ）を送信することと
を備える、方法。
【請求項３３】
サブフレームの前記指定されたセットは、制御シグナリングを含むサブフレームと前記共通のキャリアを共有する、請求項３２に記載の方法。
【請求項３４】
前記インジケーションを受信することは、前記サブフレームの指定されたセットを示すクロスサブフレームスケジューリングを受信することをさらに備える、
請求項３２に記載の方法。
【請求項３５】
前記サブフレームの指定されたセットと関連付けられる少なくとも１つのサブフレーム中で、新たな制御領域でダウンリンク制御信号を受信することをさらに備える、請求項３２に記載の方法。
【請求項３６】
前記指定されたサブフレームと関連付けられる前記少なくとも１つのサブフレーム中で、物理ダウンリンク共有チャネル（ＰＤＳＣＨ）を受信することをさらに備える、請求項３５に記載の方法。
【請求項３７】
Ｈ−ＡＲＱのタイミング関係に基づいて、前記サブフレームの指定されたセットと連結されるサブフレームにおいて、要求された再送データの再送信を中止することをさらに備える、
請求項３２に記載の方法。
【請求項３８】
要求された再送データの前記再送信を中止させるために、肯定応答（ＡＣＫ）を前記モバイルエンティティ内で物理レイヤからメディアアクセス制御（ＭＡＣ）レイヤに提供することをさらに備える、
請求項３７に記載の方法。
【請求項３９】
Ｈ−ＡＲＱのタイミング関係に基づいて、クロスサブフレーム物理ハイブリッドＡＲＱインジケータチャネル（ＰＨＩＣＨ）または中継ＰＨＩＣＨ（Ｒ−ＰＨＩＣＨ）の１つを介して、前記サブフレームの指定されたセットと連結される少なくとも１つのサブフレームにおいて、要求された再送データを再送信することをさらに備える、
請求項３２に記載の方法。
【請求項４０】
前記アップリンクＨ−ＡＲＱのタイミング関係に基づいて、前記サブフレームの指定されたセットと関連付けられるアップリンクサブフレームの中で、新たな制御領域を使用した制御信号によってスケジューリングされる適応ＰＵＳＣＨ送信を送信することをさらに備える、
請求項３２に記載の方法。
【請求項４１】
前記アップリンクサブフレームにおいて、半永続スケジューリング（ＳＰＳ）送信を送信することをさらに備える、
請求項４０に記載の方法。
【請求項４２】
前記サブフレームの指定されたセット以外のサブフレームのみで、レガシー制御領域を使用して、物理ダウンリンク制御チャネル（ＰＤＣＣＨ）信号を受信することと、
前記ＰＤＣＣＨ信号のスケジューリング構成に従って、ある数のブラインド復号動作を実行することと
をさらに備える、請求項３２に記載の方法。
【請求項４３】
サブフレームの何個の指定されたセットがＰＤＣＣＨ信号を欠いているかに関係なく、ＰＤＣＣＨ信号に対する一定の数のブラインド復号動作を実行することをさらに備える、請求項３２に記載の方法。
【請求項４４】
前記モバイルエンティティに対する複数のサブフレームのためのダウンリンクデータ送信をスケジューリングする情報を含む、第１のサブフレームにおいて、前記ＰＤＣＣＨ信号を受信することをさらに備える、
請求項４３に記載の方法。
【請求項４５】
前記第１のサブフレーム中の、前記モバイルエンティティに固有の複数の検索空間にアクセスすることをさらに備え、各検索空間は、対応するダウンリンクデータ送信のサブフレームインデックスに少なくとも一部に基づく、
請求項３９に記載の方法。
【請求項４６】
複数のサブフレームに分割される周波数および時間が示されたリソースグリッドを使用して、ワイヤレス通信システム（ＷＣＳ）のモバイルエンティティにおいて共通のキャリア上のダウンリンク制御信号を使用するための装置であって、
前記ＷＣＳの基地局からインジケーションを受信するための手段と、
前記インジケーションに基づいて、前記基地局が送信しようとしている共通のキャリアのどのサブフレームがダウンリンク制御信号を欠いているサブフレームの指定されたセットを含むかを識別するための手段と、
アップリンクハイブリッド自動再送要求（Ｈ−ＡＲＱ）のタイミング関係に基づいて、前記サブフレームの指定されたセットの１つと関連付けられるアップリンクサブフレーム中で、物理アップリンク共有チャネル（ＰＵＳＣＨ）を送信するための手段と
を備える、装置。
【請求項４７】
複数のサブフレームに分割される周波数および時間が示されたリソースグリッドを使用して、ワイヤレス通信システム（ＷＣＳ）のモバイルエンティティにおいて共通のキャリア上のダウンリンク制御信号を使用するための装置であって、
前記ＷＣＳの基地局からインジケーションを受信し、
前記インジケーションに基づいて、前記基地局が送信しようとしている共通のキャリアのどのサブフレームがダウンリンク制御信号を欠いているサブフレームの指定されたセットを含むかを識別し、
アップリンクハイブリッド自動再送要求（Ｈ−ＡＲＱ）のタイミング関係に基づいて、前記サブフレームの指定されたセットと関連付けられるアップリンクサブフレーム中で、物理アップリンク共有チャネル（ＰＵＳＣＨ）送信を受信する
ために構成される、少なくとも１つのプロセッサと、
前記少なくとも１つのプロセッサに結合された、データを記憶するためのメモリと
を備える、装置。
【請求項４８】
サブフレームの前記指定されたセットは、制御シグナリングを含むサブフレームと前記共通のキャリアを共有する、請求項４７に記載の装置。
【請求項４９】
前記プロセッサは、前記サブフレームの指定されたセットを示すクロスサブフレームスケジューリングを受信することによって、前記インジケーションを受信するためにさらに構成される、請求項４７に記載の装置。
【請求項５０】
前記プロセッサは、前記サブフレームの指定されたセットと関連付けられる少なくとも１つのサブフレーム中で、新たな制御領域でダウンリンク制御信号を受信するためにさらに構成される、
請求項４７に記載の装置。
【請求項５１】
前記プロセッサは、前記指定されたサブフレームと関連付けられる前記少なくとも１つのサブフレーム中で、物理ダウンリンク共有チャネル（ＰＤＳＣＨ）を受信するためにさらに構成される、
請求項５０に記載の装置。
【請求項５２】
前記プロセッサは、Ｈ−ＡＲＱのタイミング関係に基づいて、前記サブフレームの指定されたセットと連結されるサブフレームにおいて、要求された再送データの再送信を中止するためにさらに構成される、
請求項４７に記載の装置。
【請求項５３】
前記プロセッサは、要求された再送データの前記再送信の中止させるために、肯定応答（ＡＣＫ）を前記モバイルエンティティ内で物理レイヤからメディアアクセス制御（ＭＡＣ）レイヤに提供するためにさらに構成される、
請求項５２に記載の装置。
【請求項５４】
前記プロセッサは、Ｈ−ＡＲＱのタイミング関係に基づいて、クロスサブフレーム物理ハイブリッドＡＲＱインジケータチャネル（ＰＨＩＣＨ）または中継ＰＨＩＣＨ（Ｒ−ＰＨＩＣＨ）の１つを介して、前記サブフレームの指定されたセットと連結される少なくとも１つのサブフレームにおいて、要求された再送データを再送信するためにさらに構成される、
請求項４７に記載の装置。
【請求項５５】
前記プロセッサは、前記アップリンクＨ−ＡＲＱのタイミング関係に基づいて、前記サブフレームの指定されたセットと関連付けられるアップリンクサブフレームの中で、新たな制御領域を使用した制御信号によってスケジューリングされる適応ＰＵＳＣＨ送信を送信するためにさらに構成される、
請求項４７に記載の装置。
【請求項５６】
前記プロセッサは、前記アップリンクサブフレームにおいて、半永続スケジューリング（ＳＰＳ）送信を送信するためにさらに構成される、
請求項５５に記載の装置。
【請求項５７】
前記プロセッサは、前記サブフレームの指定されたセット以外のサブフレームのみで、レガシー制御領域を使用して、物理ダウンリンク制御チャネル（ＰＤＣＣＨ）信号を受信し、
前記ＰＤＣＣＨ信号のスケジューリング構成に従って、ある数のブラインド復号動作を実行するためにさらに構成される、
請求項４７に記載の装置。
【請求項５８】
前記プロセッサは、サブフレームの何個の指定されたセットがＰＤＣＣＨ信号を欠いているかに関係なく、ＰＤＣＣＨ信号に対する一定の数のブラインド復号動作を実行するためにさらに構成される、
請求項４７に記載の装置。
【請求項５９】
前記プロセッサは、前記モバイルエンティティに対する複数のサブフレームのためのダウンリンクデータ送信をスケジューリングする情報を含む、第１のサブフレームにおいて、前記ＰＤＣＣＨ信号を受信するためにさらに構成される、
請求項４７に記載の装置。
【請求項６０】
前記プロセッサは、前記第１のサブフレーム中の、前記モバイルエンティティに固有の複数の検索空間にアクセスするためにさらに構成され、各検索空間は、対応するダウンリンクデータ送信のサブフレームインデックスに少なくとも一部に基づく、
請求項５９に記載の装置。
【請求項６１】
複数のサブフレームに分割される周波数および時間が示されたリソースグリッドを使用して、ワイヤレス通信システム（ＷＣＳ）のモバイルエンティティにおいて共通のキャリア上のダウンリンク制御信号を使用するためのコンピュータプログラムであって、
前記ＷＣＳの基地局からインジケーションを受信し、
前記インジケーションに基づいて、前記基地局が送信しようとしている共通のキャリアのどのサブフレームがダウンリンク制御信号を欠いているサブフレームの指定されたセットを含むかを識別し、
アップリンクハイブリッド自動再送要求（Ｈ−ＡＲＱ）のタイミング関係に基づいて、前記サブフレームの指定されたセットと関連付けられるアップリンクサブフレーム中で、物理アップリンク共有チャネル（ＰＵＳＣＨ）送信を受信する
ためのコードを備える、コンピュータプログラム。
【発明の詳細な説明】
【関連出願】
【０００１】
関連出願の相互参照
本出願は、米国特許法第１１９条（ｅ）項に従って、その全体が参照により本明細書に組み込まれる、２０１１年７月１２日に出願された米国仮出願第６１／５０７，０８７号の優先権を主張する。
【技術分野】
【０００２】
本開示の態様は全般にワイヤレス通信システムに関し、より詳細には、本明細書では「制御レスサブフレーム」と呼ばれることがある、ダウンリンク制御信号を欠いているサブフレームを使用した、ワイヤレス通信システムにおけるダウンリンク制御に関する。
【背景技術】
【０００３】
ワイヤレス通信ネットワークは、音声、ビデオ、パケットデータ、メッセージング、ブロードキャスト、または他のサービスなどの様々な通信サービスを提供するために広く展開されている。これらのワイヤレスネットワークは、利用可能なネットワークリソースを共有することによって複数のユーザをサポートすることが可能な、多元接続ネットワークであり得る。そのような多元接続ネットワークの例には、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
ワイヤレス通信ネットワークは、ユーザ機器（ＵＥ）と呼ばれることがある多数のモバイルエンティティの通信をサポートすることができる、多数の基地局を含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
第３世代パートナーシッププロジェクト（３ＧＰＰ）  ロングタームエボリューション（ＬＴＥ）は、グローバルシステムフォーモバイルコミュニケーション（ＧＳＭ（登録商標））およびユニバーサルテレコミュニケーションシステム（ＵＭＴＳ）の発展形として、セルラー技術における大きな進歩を代表するものである。ＬＴＥ物理レイヤ（ＰＨＹ）は、進化ノードＢ（ｅＮＢ）のような基地局とＵＥのようなモバイルエンティティとの間でデータと制御情報の両方を搬送する、高効率な方法を提供する。従来の適用形態では、マルチメディアのための高帯域幅通信を容易にするための方法は、単一周波数ネットワーク（ＳＦＮ）動作であった。ＳＦＮは、たとえば、ｅＮＢのような無線送信機を利用して、加入者ＵＥと通信する。ユニキャスト動作では、各ｅＮＢは、１つまたは複数の特定の加入者ＵＥに向けられた情報を搬送する信号を送信するために制御される。ユニキャストシグナリングの特異性によって、たとえば、音声通話、テキストメッセージング、またはビデオ通話のような、人対人のサービスが可能になる。ブロードキャスト動作では、ブロードキャストエリア中のいくつかのｅＮＢが、同期された方法で複数の信号をブロードキャストし、ブロードキャストエリア中のいずれの加入者ＵＥによっても受信されアクセスされ得る情報、またはマルチキャストの場合にはブロードキャストエリア中のＵＥの特定のグループによってブロードキャストされ得る情報を、搬送する。ブロードキャスト動作の汎用性によって、公衆が関心を持つ情報、たとえば、イベント関連のマルチメディアブロードキャストを送信する際の効率を、より高くすることが可能になる。
【０００６】
ワイヤレスサービスの需要と消費とが伸びるにつれて、ワイヤレス通信システムは、マルチキャリアの実装形態を含むように進化してきた。この文脈では、キャリアとは、データをワイヤレスに送信するために使用される、特定の周波数に中心がある無線帯域であり得る。マルチキャリアの実装形態では、基地局およびモバイルエンティティは、２つ以上のキャリアを使用して互いに通信する。マルチキャリアの実装形態は、様々な状況、たとえば、キャリアアグリゲーションおよびヘテロジニアスネットワーク（「ＨｅｔＮｅｔ」）において使用され得る。
【発明の概要】
【０００７】
制御レスサブフレームは、マルチキャリアの実装形態を含む様々なワイヤレス通信状況において使用され得る。たとえば、制御レスサブフレームは、ノンキャリアアグリゲーションに基づくヘテロジニアスネットワークにおける、ＬＴＥ  Ｒｅｌｅａｓｅ  １０とそれ以降のものとを含むＬＴＥ−Ａｄｖａｎｃｅｄ（ＬＴＥ−Ａ）に対して提案されたオールモストブランクサブフレーム（ＡＢＳ： Almost Blank Subframe）を含み得る。ＡＢＳサブフレームは、主にレガシー装置のサポートを目的とする限られた例外を除き、ほとんど全体がデータのために確保される。有利なことに、ＡＢＳサブフレームの使用により、他の目的、たとえばダウンリンクデータの送信のために、リソース要素を解放することができる。ＡＢＳサブフレームおよびあらゆる同様の制御レスサブフレームは、どんなダウンリンク制御信号をも欠くことも、何らかのタイプのダウンリンク制御信号を欠くこともある。制御レスサブフレームの状況では、ワイヤレス通信システム（ＷＣＳ）の基地局からのダウンリンク制御信号を管理するための方法は、以下で説明されるような動作を含み得る。ＷＣＳは、複数のサブフレームへと分割される、周波数および時間が示されたリソースグリッドを使用することができ、そのようなリソースグリッドは、上で例示され以下の発明を実施するための形態においてより詳しく説明されるような多元接続ネットワークにおいて特徴的に使用される。制御レスサブフレームは、マルチキャリアの状況で使用されることがあり、このとき制御信号は複数のキャリアの指定された１つに割り当てられるので、制御信号に対して指定されないキャリア中のサブフレームは、そのような信号を欠いている。しかしながら、本出願は、制御シグナリングが指定されたキャリアのために確保される実装形態とは異なり、制御シグナリングを含むサブフレームと共通のキャリアを制御レスサブフレームが共有する実装形態を対象とする。
【０００８】
方法は、基地局からの送信において、指定されたダウンリンク制御信号を欠いている共通のキャリア上のサブフレームの指定されたセットを維持するための第１のインジケーションを、ＷＣＳのネットワークエンティティから受信することを含み得る。方法はさらに、モバイルエンティティへのワイヤレス送信において第２のインジケーションを提供することを含んでよく、第２のインジケーションは、モバイルエンティティによる指定されたセット（すなわち、制御レスサブフレーム）中のサブフレームの識別を可能にする。ひいては、サブフレームを復号する前のモバイルエンティティによる制御レスサブフレームの識別は、たとえば、以下の発明を実施するための形態において説明されるように、従来の通信技術に対して様々な利点を実現し得る。これらの利点には、たとえば、モバイルエンティティが必要なダウンリンク制御情報を復号するのに必要なブラインド復号動作を減らすために、制御レスサブフレームの使用とともにモバイルエンティティにおけるブラインド復号動作の制御を可能にすることがあり得る。本明細書の方法によって可能にされるように、ブラインド復号動作を減らすことで、ひいては、基地局または他のネットワークエンティティにおける処理オーバーヘッドを増やすことなく、かつ制御シグナリングに対する不利益を何ら伴わずに、モバイルエンティティにおける処理オーバーヘッドをかなり減らすことができる。
【０００９】
ある態様では、方法の実施形態は、基地局によってサービスされるモバイルエンティティのサブセットに対する指定されたダウンリンク制御信号を欠いた、サブフレームの指定されたセットを維持することを含み得る。たとえば、サブセットは、複数のモバイルエンティティのグループから選択された単一のモバイルエンティティ程度に小さくてよく、または、大きなグループから選択されたモバイルエンティティの小さなグループを備えてよい。代替的には、方法は、基地局によってサービスされるすべてのモバイルエンティティに対する指定されたダウンリンク制御信号を欠いた、サブフレームの指定されたセットを維持することを含み得る。方法の別の態様では、制御レスサブフレームの識別を可能にする第２のインジケーションを提供することは、クロスサブフレームスケジューリングを使用してサブフレームの指定されたセットを示すことを含み得る。
【００１０】
別の態様では、方法は、指定されたダウンリンク制御信号を欠いた、サブフレームの指定されたセットを維持することを含んでよく、指定されたダウンリンク制御信号は、レガシー制御領域からの信号である。方法はさらに、基地局によってサービスされるモバイルエンティティの少なくとも１つのサブセットに対するサブフレームの指定されたセットと関連付けられる少なくとも１つのサブフレーム中で、新たな制御領域からのダウンリンク制御信号をスケジューリングすることを含み得る。加えて、方法は、基地局によってサービスされるモバイルエンティティの少なくとも１つのサブセットに対するサブフレームの指定されたセットと関連付けられる少なくとも１つのサブフレーム中で、物理ダウンリンク共有チャネル（ＰＤＳＣＨ）を送信することを含み得る。
【００１１】
別の態様では、方法は、アップリンクハイブリッド自動再送要求（Ｈ−ＡＲＱ）のタイミング関係に基づいて、サブフレームの指定されたセットと関連付けられるアップリンクサブフレーム中で、物理アップリンク共有チャネル（ＰＵＳＣＨ）送信を受信することを含み得る。別の態様では、方法は、アップリンクＨ−ＡＲＱのタイミング関係に基づいて、サブフレームの指定されたセットの１つの中で、新たな制御領域を使用した制御信号によってスケジューリングされる適応ＰＵＳＣＨ送信を受信することを含み得る。方法は、アップリンクサブフレームにおいて、半永続スケジューリング（ＳＰＳ）送信を受信することを含み得る。
【００１２】
他の態様では、方法は、アップリンクＨ−ＡＲＱのタイミング関係に基づいて、サブフレームの指定されたセットの１つと関連付けられるアップリンクサブフレーム中で、ＰＵＳＣＨ送信を中止することを含み得る。方法は、モバイルエンティティに対するサブフレームの指定されたセット以外のサブフレームのみで、レガシー制御領域を使用して、物理ダウンリンク制御チャネル（ＰＤＣＣＨ）信号をスケジューリングすることを含み得る。ある態様では、ＰＤＣＣＨ信号をスケジューリングすることはさらに、サブフレームの何個の指定されたセットがＰＤＣＣＨ信号を欠いているかに関係なく、ＰＤＣＣＨ信号に対する一定の数のブラインド復号動作を維持することを含み得る。方法はさらに、モバイルエンティティに対する複数のサブフレームのためのダウンリンクデータ送信をスケジューリングする情報を含む、第１のサブフレームにおいて、ＰＤＣＣＨ信号をスケジューリングすることを含み得る。方法は、第１のサブフレームにおいて、モバイルエンティティに固有の複数の検索空間を割り当てることを含んでよく、各検索空間は、対応するダウンリンクデータ送信のサブフレームインデックスに少なくとも一部基づく。
【００１３】
別の態様では、基地局によって提供されるような、周波数および時間が示されたリソースグリッドを使用して、ＷＣＳのモバイルエンティティにおいて共通のキャリア上のダウンリンク制御信号を使用するための方法が提供され得る。基地局は、上で概説されたような方法に従って信号を提供することができる。モバイルエンティティにおいて実行するための方法は、ＷＣＳの基地局からのワイヤレス信号中でインジケーションを受信することを含み得る。インジケーションは、以下で説明されるように様々な異なる方法で受信され得る。方法はさらに、インジケーションを使用して、指定されたダウンリンク制御信号（たとえば、制御レスサブフレームを識別するインジケーション）を欠いている、共通のキャリア上のサブフレームの指定されたセットを識別することを含み得る。ひいては、指定された制御レスサブフレームの識別は、そのようなサブフレームを使用して受信されるデータおよび制御信号のより効率的な処理を可能にし得る。
【００１４】
ある態様では、方法は、サブフレームの指定されたセットを示す、クロスサブフレームスケジューリングを受信することによって、インジケーションを受信することを含み得る。方法はさらに、サブフレームの指定されたセットと関連付けられる少なくとも１つのサブフレーム中で、新たな制御領域でダウンリンク制御信号を受信することを含み得る。方法はさらに、指定されたサブフレームと関連付けられる少なくとも１つのサブフレーム中で、物理ダウンリンク共有チャネル（ＰＤＳＣＨ： physical downlink shared channel）を受信することを含み得る。別の態様では、方法はさらに、アップリンクハイブリッド自動再送要求（Ｈ−ＡＲＱ）のタイミング関係に基づいて、サブフレームの指定されたセットの１つと関連付けられるアップリンクサブフレーム中で、物理アップリンク共有チャネル（ＰＵＳＣＨ： physical uplink shared channel）を送信することを含み得る。方法はさらに、Ｈ−ＡＲＱのタイミング関係に基づいて、サブフレームの指定されたセットと連結されるサブフレームにおいて、要求された再送データの再送信を中止することを含み得る。そのような場合、方法は、要求された再送データの再送信の中止させるために、モバイルエンティティ内で肯定応答（ＡＣＫ）を物理レイヤからメディアアクセス制御（ＭＡＣ）レイヤに提供することを含み得る。代替的には、方法は、Ｈ−ＡＲＱのタイミング関係に基づいて、クロスサブフレーム物理ハイブリッドＡＲＱインジケータチャネルｌ（ＰＨＩＣＨ： physical hybrid ARQ indicator channel）または中継ＰＨＩＣＨ（Ｒ−ＰＨＩＣＨ）の１つを介して、サブフレームの指定されたセットと連結される少なくとも１つのサブフレームにおいて、要求された再送データを再送信することを含み得る。
【００１５】
別の態様では、モバイルエンティティによる実行のための方法は、アップリンクＨ−ＡＲＱのタイミング関係に基づいて、サブフレームの指定されたセットと関連付けられるアップリンクサブフレーム中で、新たな制御領域を使用した制御信号によってスケジューリングされる適応ＰＵＳＣＨ送信を送信することを含み得る。方法は、アップリンクサブフレームにおいて、半永続スケジューリング（ＳＰＳ）送信を送信することを含み得る。
【００１６】
別の態様では、方法は、サブフレームの指定されたセット以外のサブフレームで、レガシー制御領域のみを使用してＰＤＣＣＨ信号を受信することと、ＰＤＣＣＨ信号のスケジューリング構成に従って、ある数のブラインド復号動作を実行することとを含み得る。そのような場合、方法は、サブフレームの何個の指定されたセットがＰＤＣＣＨ信号を欠いているかに関係なく、ＰＤＣＣＨ信号に対する一定の数のブラインド復号動作を実行することを含み得る。方法は、モバイルエンティティに対する複数のサブフレームのためのダウンリンクデータ送信をスケジューリングする情報を含む、第１のサブフレームにおいて、ＰＤＣＣＨ信号を受信することを含み得る。加えて、方法は、第１のサブフレーム中の、モバイルエンティティに固有の複数の検索空間にアクセスすることを含んでよく、各検索空間は、対応するダウンリンクデータ送信のサブフレームインデックスに少なくとも一部基づく。
【００１７】
関連する態様では、上で要約された方法および方法の関連する態様のいずれかを実行するための、通信装置が提供され得る。装置は、たとえば、メモリに結合されたプロセッサを含んでよく、メモリは、上で説明された動作を装置に実行させるためにプロセッサが実行するための命令を保持する。そのような装置のいくつかの態様（たとえば、ハードウェア態様）は、ワイヤレス通信のために使用される様々なタイプの基地局およびモバイルエンティティなどの機器によって例示され得る。同様に、プロセッサによって実行されると、上で要約された方法と方法の態様とを通信装置に実行させる、符号化された命令を保持する非一時的コンピュータ可読記憶媒体を含む、製品が提供され得る。
【図面の簡単な説明】
【００１８】
【図１】ワイヤレステレコミュニケーションシステムのある例を概念的に示す概略図。
【図２】テレコミュニケーションシステムにおけるダウンリンクフレーム構造のある例を概念的に示すブロック図。
【図３】本開示の一態様に従って構成された基地局／ｅＮＢおよびＵＥの設計を概念的に示すブロック図。
【図４Ａ】連続的なキャリアアグリゲーションのタイプの例を示すブロック図。
【図４Ｂ】非連続的なキャリアアグリゲーションのタイプの例を示すブロック図。
【図５Ａ】ＭＡＣレイヤのデータアグリゲーションの例を示すブロック図。
【図５Ｂ】クロスキャリアシグナリングの態様を示す図。
【図５Ｃ】クロスキャリアシグナリングの態様を示す図。
【図５Ｄ】クロスキャリアシグナリングの態様を示す図。
【図６】ワイヤレス通信システムの基地局からのダウンリンク制御信号を管理するための方法の実施形態を示すフローチャート。
【図７】ワイヤレス通信システムの基地局からのダウンリンク制御信号を管理するための方法の実施形態を示すフローチャート。
【図８】ワイヤレス通信システムの基地局からのダウンリンク制御信号を管理するための方法の実施形態を示すフローチャート。
【図９Ａ】ワイヤレス通信システムの基地局からのダウンリンク制御信号を管理するための方法の実施形態を示すフローチャート。
【図９Ｂ】ワイヤレス通信システムの基地局からのダウンリンク制御信号を管理するための方法の実施形態を示すフローチャート。
【図１０】図６〜図９Ｂの方法による、基地局からのダウンリンク制御信号を管理するための装置のある実施形態を示すブロック図。
【図１１】ワイヤレス通信システムのモバイルエンティティにおいて共通キャリア上のダウンリンク制御信号を使用するための方法の実施形態を示すフローチャート。
【図１２】ワイヤレス通信システムのモバイルエンティティにおいて共通キャリア上のダウンリンク制御信号を使用するための方法の実施形態を示すフローチャート。
【図１３】ワイヤレス通信システムのモバイルエンティティにおいて共通キャリア上のダウンリンク制御信号を使用するための方法の実施形態を示すフローチャート。
【図１４Ａ】ワイヤレス通信システムのモバイルエンティティにおいて共通キャリア上のダウンリンク制御信号を使用するための方法の実施形態を示すフローチャート。
【図１４Ｂ】ワイヤレス通信システムのモバイルエンティティにおいて共通キャリア上のダウンリンク制御信号を使用するための方法の実施形態を示すフローチャート。
【図１５】ワイヤレス通信システムのモバイルエンティティにおいて共通キャリア上のダウンリンク制御信号を使用するための方法の実施形態を示すフローチャート。
【図１６】図１１〜図１５の方法による、ダウンリンク制御信号を使用するための装置のある実施形態を示すブロック図。
【発明を実施するための形態】
【００１９】
添付の図面に関して以下に示される発明を実施するための形態は、様々な構成を説明するものであり、本明細書で説明される概念が実施され得る唯一の構成を表すものではない。発明を実施するための形態は、様々な概念の完全な理解を与えるための具体的な詳細を含む。しかしながら、これらの概念はこれらの具体的な詳細を伴わずに実施され得ることが当業者には明らかであろう。
【００２０】
本明細書で説明される技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークに使用され得る。「ネットワーク」および「システム」という用語は、しばしば互換的に使用される。ＣＤＭＡネットワークは、たとえば、ユニバーサルテレストリアルラジオアクセス（ＵＴＲＡ： Universal Terrestrial Radio Access）またはＣＤＭＡ２０００などの無線技術を実装し得る。ＵＴＲＡは、ワイドバンドＣＤＭＡ（ＷＣＤＭＡ（登録商標））とＣＤＭＡの他の変形とを含む。ＣＤＭＡ２０００は、ＩＳ−２０００、ＩＳ−９５およびＩＳ−８５６規格によって記述され得る。ＴＤＭＡネットワークは、たとえば、グローバルシステムフォーモバイルコミュニケーション（ＧＳＭ： Global System for Mobile Communications）などの無線技術を実装し得る。ＯＦＤＭＡネットワークは、たとえば、進化ＵＴＲＡ（Ｅ−ＵＴＲＡ）、ウルトラモバイルブロードバンド（ＵＭＢ： Ultra Mobile Broadband）、ＩＥＥＥ８０２．１１（Ｗｉ−Ｆｉ）、ＩＥＥＥ８０２．１６（ＷｉＭＡＸ）、ＩＥＥＥ８０２．２０、およびＦｌａｓｈ−ＯＦＤＭＡなどの無線技術を実装し得る。ＵＴＲＡおよびＥ−ＵＴＲＡは、ユニバーサルモバイルテレコミュニケーションシステム（ＵＭＴＳ： Universal Mobile Telecommunication System）の一部である。３ＧＰＰロングタームエボリューション（ＬＴＥ）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。ＣＤＭＡ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」という名称の組織からの文書に記載されている。本明細書で説明される技法は、上記のワイヤレスネットワークおよび無線技術、ならびに他のワイヤレスネットワークおよび無線技術に使用され得る。単に例として、本技法のいくつかの態様は以下
ではＬＴＥに関して説明され、以下の説明の大部分でＬＴＥ用語が使用される。
【００２１】
図１は、ワイヤレス通信ネットワーク１００を示し、これはＬＴＥネットワークであり得る。ワイヤレスネットワーク１００は、いくつかのｅＮＢ  １１０と他のネットワークエンティティとを含み得る。ｅＮＢは、ＵＥと通信する局であってよく、基地局、Ｎｏｄｅ  Ｂ、アクセスポイント、または他の用語でも呼ばれ得る。各ｅＮＢ  １１０ａ、１１０ｂ、１１０ｃは、特定の地理的エリアに対して通信カバレッジを提供することができる。３ＧＰＰでは、「セル」という用語は、この用語が使用される状況に応じて、ｅＮＢのカバレッジエリアおよび／またはこのカバレッジエリアにサービスしているｅＮＢサブシステムを指すことがある。
【００２２】
ｅＮＢは、マクロセル、ピコセル、フェムトセル、および／または他のタイプのセルに通信カバレッジを提供することができる。マクロセルは、比較的大きい地理的エリア（たとえば、半径数キロメートル）をカバーでき、サービスに加入しているＵＥによる無制限アクセスを可能にし得る。ピコセルは、比較的小さい地理的エリアをカバーし、サービスに加入しているＵＥによる無制限アクセスを可能にし得る。フェムトセルは、比較的小さい地理的エリア（たとえば、自宅）をカバーすることができ、フェムトセルとの関連を有するＵＥ（たとえば、限定加入者グループ（ＣＳＧ）中のＵＥ、自宅内のユーザのためのＵＥなど）による限定アクセスを可能にし得る。マクロセルのためのｅＮＢは、マクロｅＮＢと呼ばれ得る。ピコセルのためのｅＮＢは、ピコｅＮＢと呼ばれ得る。フェムトセルのためのｅＮＢは、フェムトｅＮＢまたはホームｅＮＢ（ＨＮＢ）と呼ばれ得る。図１に示される例では、ｅＮＢ  １１０ａ、１１０ｂ、および１１０ｃは、それぞれマクロセル１０２ａ、１０２ｂ、および１０２ｃのためのマクロｅＮＢであり得る。ｅＮＢ  １１０ｘは、ピコセル１０２ｘのためのピコｅＮＢであり得る。ｅＮＢ  １１０ｙおよび１１０ｚは、それぞれフェムトセル１０２ｙおよび１０２ｚのためのフェムトｅＮＢであり得る。ｅＮＢは、単一のキャリアを使用して１つのセルをサポートすることができ、または対応する複数のキャリアを使用して複数のセルをサポートすることができる。
【００２３】
ワイヤレスネットワーク１００はまた、中継局１１０ｒを含み得る。中継局は、上流局（たとえば、ｅＮＢまたはＵＥ）からデータおよび／または他の情報の送信を受信し、そのデータおよび／または他の情報の送信を下流局（たとえば、ＵＥまたはｅＮＢ）に送信する局である。中継局はまた、他のＵＥに対する送信を中継するＵＥであってよい。図１に示される例では、中継局１１０ｒは、ｅＮＢ  １１０ａとＵＥ  １２０ｒとの間の通信を容易にするために、ｅＮＢ  １１０ａおよびＵＥ  １２０ｒと通信し得る。中継局は、中継ｅＮＢ、中継器などと呼ばれることもある。
【００２４】
ワイヤレスネットワーク１００は、様々なタイプのｅＮＢ、たとえば、マクロｅＮＢ、ピコｅＮＢ、フェムトｅＮＢ、リレーなどを含むヘテロジニアスネットワークであり得る。これらの様々なタイプのｅＮＢは、様々な送信出力レベル、様々なカバレッジエリア、およびワイヤレスネットワーク１００中の干渉に対する様々な影響を有し得る。たとえば、マクロｅＮＢは、高い送信電力レベル（たとえば、５〜４０ワット）を有し得るが、ピコｅＮＢ、フェムトｅＮＢ、およびリレーは、より低い送信電力レベル（たとえば、０．１〜２ワット）を有し得る。
【００２５】
ワイヤレスネットワーク１００は、同期動作または非同期動作をサポートし得る。同期動作の場合、ｅＮＢは同様のフレームタイミングを有してよく、異なるｅＮＢからの送信は時間的に概ね整合され得る。非同期動作の場合、ｅＮＢは異なるフレームタイミングを有することがあり、異なるｅＮＢからの送信は時間的に整合されないことがある。本明細書で説明される技法は、同期動作と非同期動作の両方のために使用され得る。
【００２６】
ネットワークコントローラ１３０は、ｅＮＢのセットに結合し、これらのｅＮＢのための協調と制御とを行い得る。ネットワークコントローラ１３０は、バックホールを介してｅＮＢ１１０と通信し得る。ｅＮＢ  １１０はまた、たとえば、ワイヤレスバックホールまたは有線バックホールを介して直接または間接的に、互いに通信し得る。
【００２７】
ＵＥ  １２０は、ワイヤレスネットワーク１００全体にわたって分散されてよく、各ＵＥは、固定式でも移動式でもよい。ＵＥは、端末、移動局、モバイルエンティティ、加入者ユニット、局、または他の用語で呼ばれることもある。ＵＥは、セルラー電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、または他のモバイルエンティティであり得る。ＵＥは、マクロｅＮＢ、ピコｅＮＢ、フェムトｅＮＢ、リレー、または他のネットワークエンティティと通信することが可能であり得る。図１において、両矢印付きの実線は、ダウンリンクおよび／またはアップリンク上での、ＵＥと、そのＵＥをサービスするように指定されたｅＮＢであるサービングｅＮＢとの間の、所望の送信を示す。両矢印付きの破線は、ＵＥとｅＮＢとの間の干渉する送信を示す。
【００２８】
ＬＴＥは、ダウンリンク上では直交周波数分割多重化（ＯＦＤＭ）を利用し、アップリンク上ではシングルキャリア周波数分割多重化（ＳＣ−ＦＤＭ）を利用する。ＯＦＤＭおよびＳＣ−ＦＤＭは、システム帯域幅を、一般にトーン、ビンなどとも呼ばれる複数（Ｋ）個の直交サブキャリアに分割する。各サブキャリアはデータで変調され得る。一般に、変調シンボルは、ＯＦＤＭでは周波数領域で、およびＳＣ−ＦＤＭでは時間領域で送られる。隣接するサブキャリア間の間隔は固定されてよく、サブキャリアの総数（Ｋ）はシステム帯域幅に依存し得る。たとえば、Ｋは、それぞれ１．２５、２．５、５、１０または２０メガヘルツ（ＭＨｚ）のシステム帯域幅に対して、１２８、２５６、５１２、１０２４または２０４８に等しくてよい。システム帯域幅は、サブバンドにも分割され得る。たとえば、サブバンドは１．０８ＭＨｚをカバーでき、１．２５、２．５、５、１０、または２０ＭＨｚのシステム帯域幅に対して、それぞれ１つ、２つ、４つ、８つ、または１６個のサブバンドがあり得る。
【００２９】
図２は、ＬＴＥにおいて使用されるダウンリンクフレーム構造を示す。ダウンリンクの送信タイムラインは、無線フレームの単位に分割され得る。各無線フレーム（たとえばフレーム「ｔ」２００）は、所定の期間（たとえば、１０ミリ秒（ｍｓ））を有してよく、０〜９のインデックスをもつ１０個のサブフレーム２０２に分割され得る。各サブフレームは２個のスロット２０４、２０６を含み得る。したがって、各無線フレームは、０から１９のインデックスをもつ２０個のスロットを含み得る。各スロットは、Ｌ個のシンボル期間、たとえば、図２に示されるようにノーマルサイクリックプレフィックス（ＣＰ）の場合は７個のシンボル期間、または拡張サイクリックプレフィックスの場合は６個のシンボル期間を含み得る。ノーマルＣＰおよび拡張ＣＰは、異なるＣＰのタイプと本明細書では呼ばれ得る。各サブフレーム中の２Ｌ個のシンボル期間には、０〜２Ｌ−１のインデックスが割り当てられ得る。利用可能な時間周波数リソースは、リソースブロックに分割され得る。各リソースブロックは、１つのスロット中でＮ個のサブキャリア（たとえば、１２個のサブキャリア）をカバーし得る。
【００３０】
ＬＴＥでは、ｅＮＢは、ｅＮＢ中の各セルに関する１次同期信号（ＰＳＳ）と２次同期信号（ＳＳＳ）とを送信し得る。１次同期信号および２次同期信号は、図２に示されるように、それぞれ、ノーマルサイクリックプレフィックスをもつ各無線フレームのサブフレーム０および５の各々の中のシンボル期間６および５の中で送信され得る。同期信号は、セル検出および取得のためにＵＥによって使用され得る。ｅＮＢは、サブフレーム０のスロット１中のシンボル期間０〜３中で物理ブロードキャストチャネル（ＰＢＣＨ）を送信し得る。ＰＢＣＨはあるシステム情報を搬送し得る。
【００３１】
ｅＮＢは、図２の第１のシンボル期間２０８の全体の中で示されているが、各サブフレームの第１のシンボル期間の一部のみの中で、物理制御フォーマットインジケータチャネル（ＰＣＦＩＣＨ： Physical Control Format Indicator Channel）を送信し得る。ＰＣＦＩＣＨは、制御チャネルのために使用されるいくつか（Ｍ個）のシンボル期間を搬送でき、ここで、Ｍは、１、２または３に等しくてよく、サブフレームごとに変化してよい。Ｍはまた、たとえばリソースブロックが１０個未満である小さいシステム帯域幅では、４に等しくてよい。図２に示される例では、Ｍ＝３である。ｅＮＢは、各サブフレームの最初のＭ個のシンボル期間の中で（図２ではＭ＝３）、物理ＨＡＲＱインジケータチャネル（ＰＨＩＣＨ： Physical HARQ Indicator Channel）と物理ダウンリンク制御チャネル（ＰＤＣＣＨ： Physical Downlink Control Channel）とを送信し得る。ＰＨＩＣＨは、ハイブリッド自動再送（ＨＡＲＱ）をサポートするための情報を搬送し得る。ＰＤＣＣＨは、ＵＥのためのリソース割当てに関する情報と、ダウンリンクチャネルのための制御情報とを搬送し得る。図２の第１のシンボル期間の中には示されていないが、ＰＤＣＣＨおよびＰＨＩＣＨは、第１のシンボル期間２０８の中にも含まれることが理解される。同様に、ＰＨＩＣＨおよびＰＤＣＣＨはまた、第２のシンボル期間と第３のシンボル期間の両方の中にあるが、図２にはそのようには示されていない。ｅＮＢは、各サブフレームの残りのシンボル期間の中で、物理ダウンリンク共有チャネル（ＰＤＳＣＨ： Physical Downlink Shared Channel）を送信し得る。ＰＤＳＣＨは、ダウンリンク上でのデータ送信のためにスケジューリングされたＵＥのためのデータを搬送し得る。ＬＴＥにおける様々な信号およびチャネルは、公開されている「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；  Ｐｈｙｓｉｃａｌ  Ｃｈａｎｎｅｌｓ  ａｎｄ  Ｍｏｄｕｌａｔｉｏｎ」と題する３ＧＰＰ  ＴＳ  ３６．２１１に記載されている。
【００３２】
ｅＮＢは、ｅＮＢによって使用されるシステム帯域幅の中心１．０８ＭＨｚにおいて、ＰＳＳ、ＳＳＳおよびＰＢＣＨを送信し得る。ｅＮＢは、これらのチャネルが送信される各シンボル期間中のシステム帯域幅全体にわたってＰＣＦＩＣＨとＰＨＩＣＨとを送信し得る。ｅＮＢは、システム帯域幅のいくつかの部分においてＵＥのグループにＰＤＣＣＨを送信し得る。ｅＮＢは、システム帯域幅の特定の部分において特定のＵＥにＰＤＳＣＨを送信し得る。ｅＮＢは、すべてのＵＥにブロードキャスト方式でＰＳＳと、ＳＳＳと、ＰＢＣＨと、ＰＣＦＩＣＨと、ＰＨＩＣＨとを送信することができ、特定のＵＥにユニキャスト方法でＰＤＣＣＨを送信することができ、特定のＵＥにユニキャスト方法でＰＤＳＣＨを送信することができる。
【００３３】
各シンボル期間において、いくつかのリソース要素が利用可能であり得る。各リソース要素は、１つのシンボル期間中の１つのサブキャリアをカバーすることができ、実数値または複素数値であり得る１つの変調シンボルを送信するために使用され得る。各シンボル期間中で基準信号のために使用されないリソース要素は、リソース要素グループ（ＲＥＧ： resource element group）中に配置され得る。各ＲＥＧは、１つのシンボル期間中に４つのリソース要素を含み得る。ＰＣＦＩＣＨは、シンボル期間０において、周波数上でほぼ等しく離間され得る、４つのＲＥＧを占有し得る。ＰＨＩＣＨは、１つまたは複数の構成可能なシンボル期間において、周波数上で拡散され得る、３つのＲＥＧを占有し得る。たとえば、ＰＨＩＣＨ用の３つのＲＥＧは、すべてがシンボル期間０（２０８）中に属してよく、またはシンボル期間０、１および２中で拡散されてよい。ＰＤＣＣＨは、最初のＭ個のシンボル期間において、利用可能なＲＥＧから選択され得る、９、１８、３２または６４個のＲＥＧを占有し得る。ＲＥＧのいくつかの組合せのみが、ＰＤＣＣＨに対して可能にされ得る。
【００３４】
ＵＥは、ＰＨＩＣＨおよびＰＣＦＩＣＨのために使用される特定のＲＥＧを知り得る。ＵＥは、ＰＤＣＣＨのためのＲＥＧの様々な組合せを探索し得る。探索する組合せの数は、通常、ＰＤＣＣＨに対して可能にされた組合せの数よりも少ない。ｅＮＢは、ＵＥが探索することになる組合せのいずれにおいても、ＵＥにＰＤＣＣＨを送信することができる。
【００３５】
ＵＥは、複数のｅＮＢのカバレッジ内にあり得る。そのＵＥをサービスするために、これらのｅＮＢのうちの１つが選択され得る。サービングｅＮＢは、たとえば、受信電力、経路損失、信号対雑音比（ＳＮＲ）、または他の基準などのような、様々な基準に基づいて選択され得る。
【００３６】
図３は、基地局／ｅＮＢ  １１０およびＵＥ  １２０の設計を示すブロック図を示し、図１の基地局／ｅＮＢの１つおよびＵＥの１つであり得る。制限された関連付けの状況では、基地局１１０は図１のマクロｅＮＢ  １１０ｃであってよく、ＵＥ  １２０はＵＥ  １２０ｙであってよい。基地局１１０はまた、何らかの他のタイプの基地局であり得る。基地局１１０は、アンテナ３３４Ａ〜３３４Ｔを備えてよく、ＵＥ  １２０は、アンテナ３５２Ａ〜３５２Ｒを備えてよい。
【００３７】
基地局１１０において、送信プロセッサ３２０は、データソース３１２からデータを受信し、コントローラ／プロセッサ３４０から制御情報を受信することができる。制御情報は、ＰＢＣＨ、ＰＣＦＩＣＨ、ＰＨＩＣＨ、ＰＤＣＣＨなどのためのものであり得る。データは、ＰＤＳＣＨなどのためのものであり得る。プロセッサ３２０は、データと制御情報とを処理（たとえば、符号化およびシンボルマッピング）して、データシンボルと制御シンボルとをそれぞれ得ることができる。プロセッサ３２０はまた、たとえば、ＰＳＳ、ＳＳＳ、およびセル固有基準信号のための基準シンボルを生成することができる。送信（ＴＸ）多入力多出力（ＭＩＭＯ）プロセッサ３３０は、可能な場合、データシンボル、制御シンボル、および／または基準シンボルに対して空間処理（たとえば、プリコーディング）を実行することができ、出力シンボルストリームを変調器（ＭＯＤ）３３２Ａ〜３３２Ｔに与えることができる。各変調器３３２は、（たとえば、ＯＦＤＭなどの）それぞれの出力シンボルストリームを処理して、出力サンプルストリームを得ることができる。各変調器３３２はさらに、出力サンプルストリームを処理（たとえば、アナログへの変換、増幅、フィルタリング、およびアップコンバート）して、ダウンリンク信号を得ることができる。変調器３３２Ａ〜３３２Ｔからのダウンリンク信号は、それぞれアンテナ３３４Ａ〜３３４Ｔを介して送信され得る。
【００３８】
ＵＥ  １２０において、アンテナ３５２Ａ乃至３５２Ｒは、基地局１１０からダウンリンク信号を受信することができ、受信された信号をそれぞれ復調器（ＤＥＭＯＤ）３５４Ａ乃至３５４Ｒに与えることができる。各復調器３５４は、それぞれの受信された信号を調整（たとえば、フィルタリング、増幅、ダウンコンバート、およびデジタル化）して、入力サンプルを得ることができる。各復調器３５４はさらに、（たとえば、ＯＦＤＭなどの）入力サンプルを処理して、受信シンボルを得ることができる。ＭＩＭＯ検出器３５６は、すべての復調器３５４Ａ乃至３５４Ｒから受信シンボルを得て、可能な場合は受信シンボルに対してＭＩＭＯ検出を実行し、検出されたシンボルを与えることができる。受信プロセッサ３５８は、検出されたシンボルを処理（たとえば、復調、デインターリーブ、および復号）し、ＵＥ  １２０の復号されたデータをデータシンク３６０に与え、復号された制御情報をコントローラ／プロセッサ３８０に与えることができる。
【００３９】
アップリンク上では、ＵＥ  １２０において、送信プロセッサ３６４は、データソース３６２から（たとえば、ＰＵＳＣＨのための）データを受信して処理でき、コントローラ／プロセッサ３８０から（たとえば、ＰＵＣＣＨのための）制御情報を受信し処理できる。プロセッサ３６４はまた、基準信号のための基準シンボルを生成することができる。送信プロセッサ３６４からのシンボルは、可能な場合、ＴＸ  ＭＩＭＯプロセッサ３６６によってプリコードされ、さらに（たとえば、ＳＣ−ＦＤＭなどのために）変調器３５４Ａ乃至３５４Ｒによって処理され、基地局１１０に送信され得る。基地局１１０において、ＵＥ  １２０からのアップリンク信号は、アンテナ３３４によって受信され、復調器３３２によって処理され、可能な場合、ＭＩＭＯ検出器３３６によって検出され、さらに受信プロセッサ３３８によって処理されて、ＵＥ  １２０によって送られた復号されたデータと制御情報とを得ることができる。プロセッサ３３８は、復号されたデータをデータシンク３３９に与え、復号された制御情報をコントローラ／プロセッサ３４０に与えることができる。
【００４０】
コントローラ／プロセッサ３４０および３８０は、それぞれ基地局１１０およびＵＥ  １２０における動作を指示することができる。基地局１１０におけるプロセッサ３４０および／または他のプロセッサならびにモジュールは、本明細書で説明される技法のための様々な処理を実行し、またはその実行を指示することができる。ＵＥ  １２０におけるプロセッサ３８０ならびに／または他のプロセッサおよびモジュールは、図４および図５に例示されている機能ブロックおよび／または本明細書で説明されている技法のための他の処理を実行することができ、またはその実行を指示することができる。メモリ３４２および３８２は、それぞれ基地局１１０およびＵＥ  １２０のためのデータとプログラムコードとを記憶することができる。スケジューラ３４４は、ダウンリンク上および／またはアップリンク上でのデータ送信のためにＵＥをスケジュールすることができる。
【００４１】
ある態様では、ワイヤレス通信のための基地局１１０は、基地局からの送信において、指定されたダウンリンク制御信号を欠いている共通のキャリア上でサブフレームの指定されたセットを維持するための第１のインジケーションを、ＷＣＳのネットワークエンティティから受信するための手段を含み、サブフレームの復号の前にモバイルエンティティによる指定されたセット中のサブフレームの識別を可能にする第２のインジケーションを、ワイヤレス送信でモバイルエンティティに提供するための手段に結合される。第２のインジケーションは、明示的なシグナリングまたは暗黙的なシグナリングによって提供され得る。インジケーションは、たとえば、指定されたダウンリンク制御信号を復号するために使用されるブラインド復号動作の数を制御するために、ＵＥに対して有用となるように構成され得る。一態様では、前述の手段は、前述の手段によって列挙されている機能を実行するように構成された、プロセッサと、コントローラ／プロセッサ３４０と、メモリ３４２と、受信プロセッサ３２０と、ＴＸ  ＭＩＭＯ検出器３３３０と、変調器３３２Ａと、アンテナ３３４Ａとを含み得る。別の態様では、上述の手段は、上述の手段によって列挙される機能を実行するように構成されたモジュールまたは任意の装置であり得る。
【００４２】
別の態様では、ワイヤレス通信のためのＵＥ  １２０は、指定されたダウンリンク制御信号を欠いているサブフレームのセットを識別するインジケーションを、基地局から受信するための手段を含み、サブフレームのセットを識別し、その識別を使用してサブフレームのセット中の制御情報を処理する、たとえば、識別情報を使用してブラインド復号動作の数を制御するための手段と結合される。一態様では、前述の手段は、前述の手段によって列挙されている機能を実行するように構成された、プロセッサと、コントローラ／プロセッサ３８０と、メモリ３８２と、受信プロセッサ３５８と、ＭＩＭＯ検出器３５６と、復調器３５４Ａと、アンテナ３５２Ａとを含み得る。別の態様では、上述の手段は、上述の手段によって列挙される機能を実行するように構成されたモジュールまたは任意の装置であり得る。
【００４３】
ＬＴＥ−Ａにおけるキャリアアグリゲーション  
ＬＴＥ−ＡｄｖａｎｃｅｄのＵＥは、キャリアアグリゲーションにおいて使用されるコンポーネントキャリアに割り当てられた２０ＭＨｚの帯域幅の中のスペクトルを、各方向への送信のために使用される最大で合計１００ＭＨｚの帯域幅（５個のコンポーネントキャリアを使用する）について、使用することができる。一般に、ダウンリンクよりもアップリンクで送信されるトラフィックの方が少ないので、アップリンクのスペクトル割当てはダウンリンクの割当てよりも少なくてよい。たとえば、２０ＭＨｚがアップリンクに割り当てられる場合、ダウンリンクは１００ＭＨｚを割り当てられ得る。これらの非対称なＦＤＤ割当てはスペクトルを節約し、通常は非対称であるブロードバンド加入者による帯域幅の利用率に対してよく適合する。
【００４４】
ＬＴＥ−Ａｄｖａｎｃｅｄモバイルシステムでは、連続ＣＡと非連続ＣＡという２つのタイプのキャリアアグリゲーション（ＣＡ）が提案されている。これらは、図４Ａおよび図４Ｂに示されている。非連続ＣＡは、複数の利用可能なコンポーネントキャリア４５０が図４Ｂによって示されるように周波数帯に沿って分かれている場合に、行われる。一方、連続ＣＡは、複数の利用可能なコンポーネントキャリア４００が図４Ａによって示されるように互いに隣接している場合に、行われる。非連続ＣＡと連続ＣＡの両方が、ＬＴＥ  ＡｄｖａｎｃｅｄのＵＥの単一のユニットとして機能するように複数のＬＴＥ／コンポーネントキャリアをアグリゲートするために使用され得る。上で述べられたように、本出願は、制御シグナリングが指定されたキャリアのために確保される実装形態とは異なり、制御シグナリングを含むサブフレームと共通のキャリアを制御レスサブフレームが共有する実装形態を対象とする。したがって、本技術は、シングルキャリアの状況またはマルチキャリアの状況で採用されてよく、いずれの場合でも、制御シグナリングを伴うサブフレームも搬送する同じ１つまたは複数のキャリア上で、制御レスサブフレームを可能にする。
【００４５】
ＬＴＥ−ＡｄｖａｎｃｅｄのＵＥでは、キャリアが周波数帯に沿って分かれているので、複数の高周波受信ユニットおよび複数の高速フーリエ変換（ＦＦＴ）が、非連続ＣＡとともに展開され得る。非連続ＣＡは、広い周波数範囲にわたる複数の分かれたキャリア上でのデータ送信をサポートするので、伝搬経路損失、ドップラーシフト、および他の無線チャネル特性が、異なる周波数帯ではかなり変動し得る。
【００４６】
したがって、非連続ＣＡアプローチのもとでブロードバンドデータ送信をサポートするために、異なるコンポーネントキャリアに対するコード化、変調、および送信電力を適応的に調整するための方法が使用され得る。たとえば、ｅｎｈａｎｃｅｄ  ＮｏｄｅＢ（ｅＮＢ）が各コンポーネントキャリア上で一定の送信電力を有するＬＴＥ−Ａｄｖａｎｃｅｄシステムでは、各コンポーネントキャリアの実効カバレッジまたはサポート可能な変調およびコード化が、異なり得る。
【００４７】
ＬＴＥ−Ａにおける非ＣＡ  ＨＥＴＮＥＴ  
ヘテロジニアスネットワーク（ＨｅｔＮｅｔ）構成では、ＬＴＥ−Ａは、キャリアアグリゲーションを伴う、またはそれを伴わない、ヘテロジニアスノードに対応することができる。ヘテロジニアスネットワークは、送信電力およびＲＦカバレッジエリアの差によって特徴付けられる、ヘテロジニアス基地局と他のノードとを含み得る。たとえば、ＨｅｔＮｅｔは、同じネットワークで動作している、共存する低電力ノードと高電力ノードとを含み得る。異なるタイプの基地局が、キャリアアグリゲーションを伴うことなく、無線リソースを共有し、干渉問題を管理するためのリソース管理スキームを使用することができる。代替的には、または加えて、低電力ノードおよび高電力ノードは、キャリアアグリゲーションのように、事業者の非連続的な帯域（たとえば、キャリアまたはサブキャリア）を別々に使用することができる。マクロセルと呼ばれることがあるマクロノードは、ある領域の大規模なカバレッジのために計画的に展開され得るが、より小さなノードは、カバレッジの拡大またはスループットの向上のためにマクロ基地局を補うために使用され得る。低電力ノードは、たとえば、ピコネットワークノード（ピコセル）、ホーム−進化Ｎｏｄｅ−Ｂ（ＨｅＮＢ）／限定加入者グループ（ＣＳＧ）セル、フェムトノード、およびリレーノードを含み得る。
【００４８】
データアグリゲーションスキーム  
図５は、インターナショナルモバイルテレコミュニケーションアドバンスド（ＩＭＴ−Ａｄｖａｎｃｅｄ： International Mobile Telecommunications Advanced）システムの、メディアアクセス制御（ＭＡＣ）レイヤ５１０における異なるコンポーネントキャリア５０２、５０４、５０６からの送信ブロック（ＴＢ）をアグリゲートすることを示す。ＭＡＣレイヤのデータアグリゲーションによって、各コンポーネントキャリアは、ＭＡＣレイヤに固有の独立ハイブリッド自動再送要求（Ｈ−ＡＲＱ）エンティティ５１２、５１４、５１６を有し、物理レイヤ５２０に固有の送信構成パラメータ５２２、５２４、５２６（たとえば、送信電力、変調およびコード化スキーム、ならびに複数のアンテナ構成）を有する。同様に、物理レイヤ５２０において、１つのＨ−ＡＲＱエンティティが、各コンポーネントキャリア５０２、５０４、５０６に対して提供され得る。こうして、データ５００は、複数のコンポーネントキャリアにわたって送信され、受信機によってアグリゲートされ、または逆に、送信機によって分けられ、複数のキャリアにわたって送信され得る。３つのコンポーネントキャリアが例示されるが、同様のアグリゲーションは、任意の複数の数のコンポーネントキャリアを使用して実行され得る。
【００４９】
Ｈ−ＡＲＱは、ストップアンドウェイトプロトコルを使用することができ、このプロトコルでは、送信機は、データの次のブロックを送信する前に、または復元不可能なエラーの場合には最初のデータブロックを再送信する前に、受信機から肯定応答（ＡＣＫ）または否定応答（ＮＡＣＫ）を受信するまで、停止し待機する。ＡＣＫを受信するかＮＡＣＫを受信するかにかかわらず、送信機は、特定の期間内に次の送信をスケジューリングする。たとえば、ＬＴＥのアップリンクＦＤＤでは、その期間は８個の１ミリ秒のサブフレームである。より完全に帯域幅を利用するために、ＬＴＥは、それぞれの送信ブロックに対して、互いに時間的にオフセットされた並列ＨＡＲＱ処理の使用を規定する。Ｈ−ＡＲＱのタイミングは、制御レスサブフレームとは異なる周期を有し得る。Ｈ−ＡＲＱシグナリングと制御レスサブフレームとの異なる周期は、以下でより詳しく論じられるように扱われ得る。
【００５０】
制御シグナリング  
一般に、複数のコンポーネントキャリアに対して制御チャネルのシグナリングを展開するために、３つの異なるアプローチが使用され得る。第１の手法は、ＬＴＥシステムにおける制御構造の小規模な修正を使用することができ、これによって、各コンポーネントキャリアはそれ自身のコード化された制御チャネルを与えられる。この手法は、アグリゲートされたデータのために必要な制御シグナリングのオーバーヘッドを増やし得る。
【００５１】
第２のアプローチは、異なるコンポーネントキャリアの制御チャネルを一緒にコード化することと、専用のコンポーネントキャリアにおいて制御チャネルを展開することとを伴い得る。複数のコンポーネントキャリアに対する制御情報は、この専用の制御チャネル中のシグナリングコンテンツとして統合され得る。結果として、ＬＴＥシステム中の制御チャネル構造との後方互換性は保たれ得るが、ＣＡに対するシグナリングオーバーヘッドは減る。専用の制御チャネルのために使用されないコンポーネントキャリアにおける制御レスサブフレームは、非制御データを送信するために使用され得る。
【００５２】
第３のアプローチでは、異なるコンポーネントキャリアの複数の制御チャネルが一緒にコード化され、次いで、周波数帯域全体にわたって送信され得る。この手法は、ＵＥ側で電力消費が多くなることと引き換えに、制御チャネルにおいて小さなシグナリングオーバーヘッドと高い復号性能とを実現する。しかしながら、この方法は、ＬＴＥシステムとは互換性がない。
【００５３】
単一周波数ネットワークにおけるｅＭＢＭＳおよびユニキャストシグナリング  
マルチメディアのために高帯域幅通信を容易にするための１つの機構は、単一周波数ネットワーク（ＳＦＮ）動作であった。具体的には、たとえば、ＬＴＥの分野ではマルチメディアブロードキャスト単一周波数ネットワーク（ＭＢＳＦＮ）として最近知られるようになっているものを含む、進化マルチメディアブロードキャストサービス（ｅＭＢＭＳ： evolved Multimedia Broadcast Multicast Service）としても知られる、ＭＢＭＳおよびＬＴＥのためのＭＢＭＳは、そのようなＳＦＮ動作を利用することができる。ＳＦＮは、たとえば、ｅＮＢのような無線送信機を利用して、加入者ＵＥと通信する。ｅＮＢのグループは、双方向情報を同期した方式で送信できるので、信号は互いに干渉するのではなく、互いに補強し合う。ｅＭＢＭＳの状況では、共有されるコンテンツをＬＴＥネットワークから複数のＵＥへ送信するために、単一キャリアを最適化する必要性が残る。
【００５４】
オールモストブランクサブフレーム（ＡＢＳ）  
３ＧＰＰのＲｅｌｅａｓｅ  １０によって定義されるように、オールモストブランクサブフレーム（ＡＢＳ）は、ある制御信号と不必要なデータとを除外し、一種の制御レスサブフレームを代表する。各ＡＢＳは、共通基準信号（ＣＲＳ： Common Reference Signals）を含む。ＡＢＳと同時に生じるときにレガシーをサポートするために、いくつかの他の制御信号が含まれ得る。そのような信号は、同期信号と、ページング信号と、システム情報ブロック（ＳＩＢ）１信号と、位置参照信号とを含み得る。ページング信号およびＳＩＢ  １信号は、ＡＢＳに含まれる場合、プライマリダウンリンク制御チャネル（ＰＤＣＣＨ）と関連付けられ得る。レガシーのモバイルエンティティはＡＢＳサブフレームを検出できないことがあり、ＡＢＳはＭＢＳＦＮデータを送信するためには使用されない。
【００５５】
非ＣＡベースのヘテロジニアスネットワークでは、Ｘ２インターフェースバックホールシグナリングを通じて送信されるビットマップパターンが、マクロノードによってピコセルに送信されるＡＢＳパターンを示すために使用され得る。ＡＢＳパターンは、準静的に更新され、たとえば、比較的ナローバンドの送信電力信号のようないくつかのレガシーＸ２信号に対して許容されるものより頻繁には変更され得ない。追加のＸ２シグナリングは、制約された無線リンクモニタおよび無線リソースモニタの測定の構成のための、受信ノードに対して推奨されるＡＢＳサブフレームのサブセットを示し得る。
【００５６】
検索空間の設計、非ＣＡ  
シングルキャリア（非キャリアアグリゲーション）の状況では、レガシーのモバイルエンティティは、共通検索空間（ＣＳＳ： Common Search Space）およびＵＥ−固有検索空間（ＵＥＳＳ： UE-Specific Search Space）という、２つのセットのＰＤＣＣＨ復号候補をモニタすることが必要とされ得る。復号候補は、１つまたは複数の特定のモバイルエンティティ、またはデータ要素を受信するすべてのモバイルエンティティに宛てられる、符号化された個別のデータ要素であり得る。符号化されたデータ要素を受信する各モバイルエンティティは、符号化された要素を復号しようと試みることによって、候補が受信エンティティに宛てられているかどうかを判定することができる。モバイルエンティティによる復号の試みが成功する場合、モバイルエンティティは、認識可能な制御信号を取得し、モバイルエンティティが制御信号の意図された受信者であると推測することができる。復号の試みが成功しない場合、モバイルエンティティは、復号処理から認識可能な制御信号を取得せず、モバイルエンティティは意図された受信者ではないと推測することができる。モバイルエンティティは、モバイルエンティティが意図された受信者かどうかを最初に判定することなく候補要素を復号しようと試みるので、受信エンティティにおける復号処理は、「ブラインド復号」と呼ばれ得る。
【００５７】
ＣＳＳでは、ＵＥは、最高で６個の復号候補をモニタし、６個の復号候補は、アグリゲーションレベル４の４個の復号候補、およびアグリゲーションレベル８の２個の復号候補からなる。アグリゲーションレベルの数「Ｎ」（たとえば、４、８）は、Ｎ個の制御チャネル要素を有することによって定義され、制御チャネル要素は各々、１つの周波数時間グリッドである３６個のリソース要素を有する。ＣＳＳは、すべてのＵＥに共通であり得る。ＣＳＳは、システム、ページングおよびＲＡＣＨ応答のようなブロードキャストメッセージのために主に使用され得るが、ユニキャストスケジューリングのためにも使用され得る。各復号候補は、２つの別個のフォーマットサイズのうちの１つであり得るので、モバイルエンティティによる最大で２つの別々の復号の試みを必要とし得る。したがって、ＣＳＳでの復号候補に対して、全体では最大で１２（６×２）個のブラインド復号動作が、モバイルエンティティにおいて必要とされ得る。
【００５８】
ＵＥＳＳは、ＵＥの識別子（ＩＤ）の関数として数が変動する、復号候補のセットと、サブフレームインデックスのような他のパラメータとを含み得る。最大で１６個の復号候補が存在する可能性があり、６個はアグリゲーションレベル１の候補、６個はレベル２の候補、２個はレベル４の候補、および２個はレベル８の候補である。ダウンリンク許可およびアップリンク許可は、復号候補の同じセットを共有し得る。各復号候補は、レガシーのモバイルエンティティでは２つの可能なサイズのうちの１つであってよく、またはＲｅｌｅａｓｅ  １０に適合するＵＥでは、３つの可能なサイズのうちの１つであってよい。したがって、ＵＥＳＳにおける復号候補のために、レガシーのＵＥは、最大で３２（１６×２）個のブラインド復号を実行する必要があり得るが、Ｒｅｌｅａｓｅ  １０のＵＥは、最大で４８（１６×３）個のブラインド復号を実行する必要があり得る。
【００５９】
ＣＡにおける検索空間設計  
ＣＡネットワークでは、ＣＳＳは、プライマリ制御チャネル（ＰＣＣ）上でのみ搬送され得る。他の制御チャネルのシステム情報は、制御チャネルが関連するサブフレームと同じキャリア上でシグナリングすることによって搬送され得る。ＵＥＳＳは、クロスキャリアシグナリングが使用されない非ＣＡネットワークにおける場合と同じであってよい。しかしながら、クロスキャリアシグナリングは、全体的な制御のオーバーヘッドを減らすには有利であり得る。
【００６０】
クロスキャリアシグナリングが使用される場合、ＰＤＣＣＨ制御チャネルは、アップリンクおよびダウンリンクのスケジューリングに対するより高次のレイヤのＰＤＣＣＨのための第１のＵＥＳＳ、および各キャリアに対する１つまたは複数の追加のＵＥＳＳという、２つ以上の別個のＵＥＳＳを必要とし得る。各ＵＥＳＳは、３ＧＰＰ  Ｒｅｌｅａｓｅ  ８のＵＥＳＳと同様に導出されてよく、さらに、３ビットのクロスキャリアインジケータフィールドに依存し得る。これらのＵＥＳＳは、重複することも重複しないこともある。図５Ｂは、クロスキャリアスケジューリングを使用した状況における、ＵＥＳＳの態様を示す。特定のアグリゲーションレベル（たとえば、１、２、４、または８）に対して、ＵＥが行うことが必要とされ得るブラインド復号動作の最大の数は、キャリアの数とともに線形に増加する。ＵＥのために構成される５個のコンポーネントキャリアがある場合、ブラインド復号動作の総数は２５２に達することがあり、３個のＵＥＳＳ（４８×３）の復号動作および１２個のＣＳＳの復号動作からなる。制御チャネルの番号「ｊ」（ＣＣj）を有する制御チャネル要素（ＣＣＥ）空間５３０に対して、隣接する制御チャネルＣＣmおよびＣＣjは、隣接するＣａｒｒｉｅｒ  Ｉｎｄｉｃａｔｉｏｎ  Ｆｉｅｌｄ（ＣＩＦ）値を有し得るので、連結されたＵＥＳＳを有し得る。３ＧＰＰ  Ｒｅｌｅａｓｅ  １０では、ＣＩＦは、設定可能な３ビットのフィールドであってよく、ＣＣＥの開始インデックス値は、ＣＩＦの値に応じて、Ｒｅｌｅａｓｅ  ８とは異なり得る。別の制御チャネルＣＣｋは、隣接しないＣＩＦ値を有し得るので、連結されないＵＥＳＳを有し得る。
【００６１】
２つ以上のセットのＵＥＳＳが、ダウンリンク制御情報（ＤＣＩ）に対して同じフォーマットサイズを使用する場合、さらなるスケジューリングの柔軟性が、クロスキャリアシグナリングを使用して複数のキャリアでＵＥＳＳを共有することによって、ブラインド復号動作の総数を増やすことなく達成され得る。図５Ｃは、ＰＤＣＣＨ  ＣＣ上でのＵＥＳＳの共有を示す。同じＰＤＣＣＨ上でスケジューリングされた２つ以上の制御チャネル（ＣＣ）５４０のセットが同じＤＣＩフォーマットサイズを有する場合、セット中の任意の所与のＣＣに対するそのサイズのＰＤＣＣＨは、所与のＣＣ自体を含む、セット中の任意のＣＣに対する任意のＵＥＳＳに由来し得る。このことは、必要とされるブラインド復号動作の数を増やすことなく、さらなるスケジューリングの柔軟性を可能にし得る。たとえば、第１のＣＣ  ５４２（ＣＣ１）および第２のＣＣ  ５４４（ＣＣ２）は、２つの異なるＤＣＩフォーマット、たとえば、第１の制御チャネル５４２におけるＤＣＩフォーマット「Ｘ」および第２の制御チャネル５４４における異なるＤＣＩフォーマット「Ｙ」対して、同じＤＣＩフォーマットサイズを使用することができる。ＸフォーマットのＤＣＩは、第１の制御チャネルのためにＵＥＳＳ  ５４６を使用して、または、第２の制御チャネルのためにＵＥＳＳ  ５４８を使用して送信され得る。同様に、ＹフォーマットのＤＣＩは、第１の制御チャネルのためにＵＥＳＳ  ５４６を使用して、または、第２の制御チャネルのためにＵＥＳＳ  ５４８を使用して送信され得る。
【００６２】
クロスサブフレームスケジューリング  
周波数分割複信（ＦＤＤ）アップリンクサブフレーム５５２およびＦＤＤダウンリンクサブフレーム５５４という相関するセット５５０を示す図５Ｄにおいて示されるように、ＣＡ  ＨｅｔＮｅｔと非ＣＡ  ＨｅｔＮｅｔの両方で、サブフレームにクロススケジューリングが実行され得る。従来は、たとえば、ダウンリンクサブフレーム０  ５５６は、それ自体と、アップリンクサブフレーム４  ５５８とをスケジューリングする。これは、同一サブフレームのスケジューリングであると考えられる。加えて、サブフレーム０  ５５６は、ダウンリンクサブフレーム１  ５５７とアップリンクサブフレーム５  ５６２とをスケジューリングすることができ、これはクロスサブフレームスケジューリングの例である。そのような場合、ダウンリンクサブフレーム５５６は、２つのＵＥ固有の検索空間を含んでよく、これらの検索空間は、一方はサブフレームインデックス０に基づき、もう一方はサブフレームインデックス１に基づく。ＵＥ固有の検索空間は、３ＧＰＰ  Ｔｅｃｈｎｉｃａｌ  Ｓｐｅｃｉｆｉｃａｔｉｏｎ  ３６．２１３において定義されるように構成され得る。さらなる例では、サブフレーム５６０（ダウンリンクサブフレーム２）は、２つ以上のダウンリンクサブフレームまたはアップリンクサブフレーム、たとえば、ダウンリンクサブフレーム２〜４およびアップリンクサブフレーム６〜８  ５６４、５６６、５６８のすべてをスケジューリングすることができる。そのような場合、ダウンリンクサブフレーム５６０は、それぞれサブフレームインデックス２〜４に基づく、３つのＵＥ固有の検索空間を含んでよい。より前のサブフレームによってスケジューリングされたサブフレームは、スケジューリング制御を欠いていることがあるので、何らかの制御信号を欠いているという点でＡＢＳに類似し得る。
【００６３】
キャリアアグリゲーションコンテンツにおいてＡＢＳを使用すること、および、ＣＡの状況と非ＣＡの状況の両方でクロスサブフレームスケジューリングにおいて同様の制御レスサブフレームを使用することから、様々な問題と機会とが生じる。１つの問題は、ＵＥがＡＢＳまたは同様の制御レスサブフレーム構成を認識するようにされるべきかどうかである。ＵＥがＡＢＳまたは同様の制御レスサブフレーム構成を認識する場合、別の問題は、ＵＥおよびマクロノードが、制御の観点からＡＢＳまたは同様の制御レスサブフレームをどのように扱うべきかということである。
【００６４】
クロスフレームスケジューリングが使用される場合、ＵＥＳＳおよびＣＳＳに対して必要とされ得るブラインド復号動作の最大の数と、クロススケジューリングされたサブフレームをどのように扱うかということとに関する、問題が生じる。別の問題は、対応するＰＤＣＣＨがＡＢＳまたはクロススケジューリングされたフレーム中にない場合に、準静的なスケジューリングを含めて、モバイルエンティティからの物理アップリンクスケジューリングチャネル（ＰＵＳＣＨ）送信をどのように扱うかということである。
【００６５】
制御レスサブフレームの認識
ある態様では、ネットワークエンティティ（たとえば、基地局）は、どのサブフレームが指定されたダウンリンク制御信号（たとえば、制御レスサブフレームまたはＡＢＳ）を欠いているかを各モバイルエンティティが判定できるように、各モバイルエンティティにインジケーションを与えることができる。サブフレームは、セル中のすべてのモバイルエンティティに対する指定されたダウンリンク制御信号を欠いていることがある。代替的には、または加えて、サブフレームは、特定のモバイルエンティティ、またはモバイルエンティティの特定のグループに対する、指定されたダウンリンク制御信号を欠いていることがある。サブフレームがすべての指定されたダウンリンク制御（レガシーの制御と新しい制御の両方）を欠いている場合、または代替的には、サブフレームが指定されたレガシーの制御信号のみを欠いている一方でデータ領域中に新しい非レガシーの制御信号を含んでいる場合、サブフレームは制御レスであると考えられ得る。制御レスサブフレームが特定のモバイルエンティティに対する指定されたダウンリンク制御信号を欠いている場合、制御レスサブフレームはそれでも、これらの特定の１つまたは複数のモバイルエンティティのための対応するスケジューリングサブフレームにおいて、ダウンリンクスケジューリング信号またはアップリンクスケジューリング信号（たとえば、ＰＤＳＣＨまたはＰＵＳＣＨ）（非レガシーの制御信号に基づくＰＤＳＣＨ、および／またはＨ−ＡＲＱタイミングに基づくＰＵＳＣＨ）を含み得る。
【００６６】
ネットワークエンティティは、明示的なシグナリングまたは暗黙的なシグナリングを使用して、制御レスサブフレームのインジケーションをモバイルエンティティに提供することができる。明示的なシグナリングでは、ネットワークエンティティは、ＡＢＳシグナリングを識別するための、明示的な専用の信号を提供することができる。代替的には、ネットワークエンティティは、ＡＢＳシグナリングと関連付けられない暗黙的なシグナリング方法を使用することができる。暗黙的なシグナリングでは、インジケーションは、明示的なメッセージを使用することなく提供され得る。たとえば、ネットワークエンティティは、クロスフレームスケジューリングに関連する、暗黙的なインジケーションを提供することができる。このアプローチでは、モバイルエンティティは、クロススケジューリングされるサブフレームを認識できるので、クロススケジューリングされたサブフレームがモバイルエンティティのための物理ダウンリンク制御チャネル信号を何ら搬送していないことを、モバイルエンティティは知らされ得る。クロススケジューリングされるサブフレームは、たとえば、異なるＰＤＳＣＨ／ＰＵＳＣＨサブフレームによってスケジューリングされるＰＤＳＣＨ／ＰＵＳＣＨサブフレームを含み得る。サブフレームがダウンリンク制御信号を搬送しない理由はいくつかあり得る。たとえば、サブフレームがＡＢＳであることがあり、またはサブフレームが近隣のセルから大きな干渉を受けていることがある。
【００６７】
どのサブフレームがダウンリンク制御信号を欠いているかのインジケーションを使用して、モバイルエンティティは、本来は実行していたであろうブラインド復号動作の数を減らすことができ、たとえば、モバイルエンティティは、モバイルエンティティが制御レスであると識別するサブフレームに対して、より少数のブラインド復号しか行わなくてよく、または全くブラインド復号を行わなくてよい。ある態様では、モバイルエンティティは、制御レスサブフレームであると示されたサブフレームにおいて、あらゆるダウンリンク制御信号の検出を完全に飛ばしてよい。そのような場合、モバイルエンティティは、サブフレームの状態、具体的には、サブフレームが制御レスサブフレームとして示されるかどうかに依存する、制御信号をモニタする。このアプローチの利点には、バッテリーの電力の節約と、処理能力の使用率の低減と、誤った警告および任意の関連するＡＣＫ／ＮＡＫまたはＰＵＳＣＨシグナリングの発生の低減とがあり得る。
【００６８】
ＰＵＳＣＨ再送信  
ＰＵＳＣＨ送信は、ＰＤＣＣＨサブフレームにおいてスケジューリングされ得るが、その再送信のインスタンスは、アップリンクＨ−ＡＲＱタイミングに基づいて、制御レスサブフレームに落ちる。この状況は、たとえば、再送信のタイミングが、制御レスサブフレームの周期とは異なる周期を有するアップリンクＨ−ＡＲＱタイミングによって制御される場合、起こり得る。
【００６９】
この場合、モバイルエンティティは、問題のサブフレームが制御レスサブフレームであるとモバイルエンティティが判定できる（かつ判定した）状況では、非適応ＰＵＳＣＨ再送信が落ちる制御レスサブフレームにおいて、非適応ＰＵＳＣＨ再送信を中止することができる。代わりに、モバイルエンティティは、再送信を中止したことに応答して、物理レイヤからメディアアクセス制御（ＭＡＣ）レイヤに肯定的なＡＣＫを提供することができる。逆に、モバイルエンティティが制御レスサブフレームを検出できず、したがって問題のサブフレームが制御レスかどうか判定できない場合、モバイルエンティティは、ＰＤＣＣＨの誤った警告の結果として、ＰＵＳＣＨの再送信を制御レスサブフレームにおいて試み得る。
【００７０】
代替的に、モバイルエンティティは、制御レスサブフレームにおける、適応的な再送信または非適応的な再送信をサポートすることができる。この代替形態はまた、特定のサブフレームが制御レスサブフレームかどうかをモバイルエンティティが検出することが可能であることを必要とする。非適応的な再送信は、新しいＰＨＩＣＨ設計またはクロスサブフレームＰＨＩＣＨを介してモバイルエンティティが再送信することを含み得る。適応的な再送信は、新しいＰＤＣＣＨシグナリングまたはクロスサブフレームスケジューリングによってサポートされる、適応的なＰＵＳＣＨ送信をモバイルエンティティが使用することを含み得る。たとえば、新しいＰＤＣＣＨ設計は、ｒｅｌａｙ  ＰＤＣＣＨ（Ｒ−ＰＤＣＣＨ）設計またはその変形に従い得る。同様に、新しいＰＨＩＣＨ設計は、Ｒ−ＰＤＣＣＨと同じ設計思想にも従い得る。さらなる代替形態によれば、再送信は、制御レス構成に適合された別のＰＤＣＣＨ対応サブフレームにおいて実行され得る。たとえば、モバイルエンティティは、４ミリ秒において、またはその後、ＰＤＣＣＨサブフレームに対応する第１のアップリンクサブフレームにおいて再送信することができ、Ｈ−ＡＲＱのタイムラインを本質的に改変する。
【００７１】
半永続スケジューリング  
半永続スケジューリング（ＳＰＳ）が、定められた周期、たとえば、１０ミリ秒または２０ミリ秒を使用して、アップリンク送信に対してサポートされ得る。ＳＰＳの周期は、制御レスサブフレームの周期と一致しないことがある。そのような場合、Ｈ−ＡＲＱのタイミングによるＰＵＳＣＨの再送信と関わる問題と同様の問題が生じ得る。ＳＰＳは、ＰＤＣＣＨサブフレームにおいてアクティブ化され得るが、一部のＳＰＳサブフレームは、ＳＰＳのアクティブな期間において、制御レスサブフレームと時間的に一致し得る。
【００７２】
ある態様では、ＳＰＳは、これらのサブフレームにおけるＰＵＳＣＨ送信を防ぐために、制御レスサブフレームと時間的に一致することが許可されないことがある。たとえば、ＳＰＳは、制御レスサブフレームのパターン周期の倍数ではない周期、たとえば、制御レスサブフレームの周期が８ミリ秒の場合は２０ミリ秒のＳＰＳ周期によって、構成され得る。この代替形態は、電力を節約することができ、モバイルエンティティが非連続的な受信または送信を使用できる。代替形態では、ＳＰＳのスケジューリングは、制御レスサブフレームの中に落ちることが許可され、落ちるフレームが制御レスかどうかにかかわらず、同じように扱われ得る。
【００７３】
ブラインド復号の最大の試行数の管理  
様々な代替形態は、クロスサブフレーム復号を可能にするＰＤＣＣＨサブフレームにおける、ブラインド復号を管理するために使用され得る。第１の代替形態では、モバイルエンティティは、クロスサブフレーム復号を可能にするサブフレームに対して、モバイルエンティティの行うブラインド復号の試行の最大の数を増やすことができない。したがって、ブラインド復号の試行の数は、上で説明されたクロスフレームスケジューリングを伴わないサブフレームの場合と同じであり得る。このアプローチでは、基地局（たとえば、ｅＮＢ）は、静的な最大の数よりも多くのブラインド復号の試行を必要としないように、複数のサブフレームにおいてＰＤＣＣＨをスケジューリングしなければならない。この実装形態は、ｅＮＢにおける望ましくないスケジューリング制約をもたらし得る。
【００７４】
代替形態では、ブラインド復号の試行の最大の数は、ＰＤＣＣＨサブフレームにおいてある量だけ増やされ（たとえば、線形の増加）、クロスサブフレーム復号を可能にし得る。やはり、このことは、ブラインド復号候補の数を、許容される増加と適合する定義された数に保つために、ｅＮＢによってＰＤＣＣＨをスケジューリングすることによって達成され得る。ブラインド復号の数を増やす量の決定は、各ＰＤＣＣＨサブフレームにおけるＵＥＳＳの数に応じたものとして実行され得る。ＣＡでは、同じキャリア上での検索空間の数は、ＵＥ  ＩＤおよびクロス−キャリアインジケータフィールド（ＣＩＦ： Carrier Indicator Field）の関数として個々に定義され得る。ＵＥＳＳの数はまた、サブフレームインデックスの関数であってよく、サブフレームインデックスは、０〜９にわたってよく、所与のアグリゲーションレベルに対して最大で１０個の可能なＵＥＳＳを許容する。１つのアプローチでは、ブラインド復号の増加は、ＣＡの場合と同じであってよく、これは、レイヤ３で設定されたオフセットに基づくオフセット、または単にサブフレームの差である。この場合では、増加の量は、１つまたは複数のクロスサブフレームオフセットとして定義されるような検索空間の数に線形に比例し得る。
【００７５】
別のアプローチでは、ブラインド復号の最大の数の増加は、あるパラメータに基づいて検索空間について個々に定義され得る。パラメータは、たとえば、レイヤ３で設定されてよく、または、単にクロスサブフレームインデックスであってよい。たとえば、図５Ｄに示されるように、クロスサブフレームインデックスが、１つのサブフレームオフセット（たとえば、サブフレーム０からサブフレーム１）のクロススケジューリングを示す場合、サブフレーム１からのＵＥＳＳはサブフレーム０に移動され得るが、サブフレームに対しては同じ位置に保たれ得る。そのような場合、モバイルエンティティは、（アグリゲーションレベルに基づいて）サブフレーム０に対しては２倍の数のブラインド復号動作を実行してよく、サブフレーム１においてはブラインド復号を実行しなくてよい。基地局は、それに従って、サブフレーム０においてＰＤＣＣＨチャネルをスケジューリングすることができる。さらなる例では、サブフレーム２が、サブフレーム３および４とクロススケジューリングされる場合、サブフレーム３および４に対するＵＥＳＳは、サブフレーム２に移動され得る。この場合、モバイルエンティティは、サブフレーム２において３倍の数のブラインド復号を実行してよく、サブフレーム３および４においてブラインド復号をしなくてよい。この代替形態は、ブラインド復号のために３ＧＰＰ  Ｒｅｌｅａｓｅ  ８において使用されるものと同じハッシュ関数を利用することができる。やはり、基地局は、それに従って、サブフレーム０においてＰＤＣＣＨチャネルをスケジューリングすることができる。さらに別の代替形態は、クロスキャリアシグナリングと同様に、ＵＥ固有の検索空間を共有することであり得る。この代替形態では、ＵＥＳＳは、特定のモバイルエンティティのために共有すべきサブフレームの識別されたグループについて指定され得る。
【００７６】
ＣＳＳでは、クロスサブフレームスケジューリングを可能にするＰＤＣＣＨサブフレームに対する、ブラインド復号動作の数を増やすことも望ましいことがある。これは、たとえば、制御チャネル要素０において復号を開始し（３ＧＰＰ  Ｒｅｌｅａｓｅ  ８におけるように）、しかしＰＤＣＣＨの復号候補の数を線形に増やすことによって、達成され得る。たとえば、関連するアグリゲーションレベルによるブラインド復号の数は「Ｎ」によって乗算されてよく、Ｎは、ＰＤＣＣＨサブフレームによってスケジューリングされているサブフレームの数である。別の代替形態では、ブラインド復号動作の数は、一定に保たれて（すなわち、増やされないで）よく、代わりに、ＰＤＣＣＨサブフレームにおけるＣＳＳに対しては、１または２のような、より低いアグリゲーションレベルが使用されてよい。さらに別の代替形態は、ＣＳＳのためのＵＥＳＳにおいて、専用のシグナリングを使用することと、ダウンリンク制御情報（ＤＣＩ）フォーマット１Ａを利用することとをも含み得る。
【００７７】
例示的な方法および装置  
本明細書で図示および説明された例示的なシステムを考慮すれば、開示される主題に従って実装され得る方法は、様々なフローチャートを参照すればより良く理解されよう。説明を簡単にするために、方法は一連の行為／ブロックとして図示および説明されるが、いくつかのブロックは、本明細書で図示および説明される順序とは異なる順序で、および／または他のブロックと実質的に同時に行われ得るので、特許請求される主題はブロックの数または順序によって限定されない。さらに、本明細書で説明される方法を実装するために、図示されたすべてのブロックが必要とされるとは限らない。ブロックに関連する機能は、ソフトウェア、ハードウェア、それらの組合せまたは任意の他の適切な手段（たとえば、デバイス、システム、プロセス、またはコンポーネント）によって実装され得ることを諒解されたい。加えて、本明細書の全体にわたって開示される方法は、そのような方法を様々なデバイスに移送および転送することを容易にする製品に、符号化された命令および／またはデータとして記憶することが可能であることをさらに諒解されたい。方法は、代替的に、状態図のような、一連の相互に関係する状態または事象として表現され得ることを、当業者は理解し諒解するであろう。
【００７８】
図６は、複数のサブフレームに分割される周波数および時間が示されたリソースグリッドを使用して、ワイヤレス通信システム（ＷＣＳ）の基地局からのダウンリンク制御信号を管理するための、方法６００を示す。ネットワークエンティティは、ｅＮＢ、またはワイヤレス通信ネットワークの他の基地局（たとえば、ホームノードＢなど）であってよい。方法６００は、６１０において、基地局からの送信において、指定されたダウンリンク制御信号を欠いている共通のキャリア上のサブフレームの指定されたセットを維持するための第１のインジケーションを、ＷＣＳのネットワークエンティティから受信することを含み得る。命令は、サブフレームの指定されたセットにどのサブフレームを含めるかを基地局が決定することを可能にする情報を含み得る。命令は、サブフレームの指定されたセットを含むサブフレームを送信のために構成するよりも前の任意の時点で、基地局によって受信されてよく、本質的に静的、準静的、または可変であり得る。サブフレームの指定されたセットは、命令が受信されてからの何らかの後の時点で、基地局において生成されてよく、命令が受信される時点で存在している必要はない。サブフレームの指定されたセットは、たとえば、オールモストブランクサブフレーム、または別のタイプの制御レスサブフレームであってよい。サブフレームの指定されたセットは、サブフレームのより大きなセットに含まれてよく、サブフレームのより大きなセットは、指定されたダウンリンク制御信号を搬送するためのいくつかのサブフレームを含む。指定されたダウンリンク制御信号は、たとえば、ブラインド復号の候補である物理ダウンリンク制御チャネル信号を含んでよく、何らかの他のダウンリンク信号、たとえば、ＰＳＳ、ＳＳＳ、ＰＢＣＨ、ＳＩＢ１、ページング、および／またはＰＲＳ信号を含まなくてよい。
【００７９】
方法６００はさらに、６２０において、サブフレームを復号するよりも前に、指定されたセット中でのサブフレームの識別を可能にする第２のインジケーションを、基地局がワイヤレス送信でモバイルエンティティに提供することを含み得る。第２のインジケーションは、１つまたは複数の専用のビットのような明示的なデータ要素であってよく、または、他のダウンリンク信号の構成またはクロスサブフレームスケジューリングによって示唆される、暗黙的なインジケーションであってよい。第２のインジケーションは、受信機、たとえばモバイルエンティティが、受信しようとしているサブフレームの大きなセットのうちのいずれがサブフレームの指定されたセットに含まれるかを識別することを可能にするのに十分な情報を、受信機に伝えて、指定されたセットの事前の識別を可能にしなければならない。たとえば、事前の識別は、サブフレームの大きなセットの中のサブフレームの指定されたセットのパターンまたは構成を伝えることによって、可能にされ得る。より詳細な例では、基地局は、すべての「Ｎ番目」（たとえば、２番目、３番目、４番目など）のサブフレームが制御レスサブフレームであるというインジケーションを提供することができる。第２のインジケーションを提供したことに続いて、基地局は、動作６２０によって示されたように構成される制御レスサブフレームの指定されたセットを含む、データのサブフレームを送信することができる。
【００８０】
図７、図８、図９Ａ、図９Ｂはさらに、ダウンリンク制御信号を管理するための方法６００とともに基地局によって実行され得る、任意選択の動作または態様７００と、８００と、９００と、９５０とを示す。図７、図８、図９Ａ、図９Ｂに示される動作は、方法６００を実行するために必要とされない。動作７００、８００、９００、および９５０は、独立に実行され、ブロックから反対側の分岐に位置しない限り一般に相互に排他的ではない。別の下流の動作または上流の動作が実行されるかどうかにかかわらず、そのような独立で相互に排他的ではない動作のうちのいずれか１つが実行され得る。方法６００が、図の少なくとも１つの動作７００、８００、９００、および９５０を含む場合、方法６００は、必ずしも、図示され得るいかなる後続の（１つまたは複数の）下流の動作を含む必要なく、少なくとも１つの動作の後に終了し得る。逆に、ブロックの反対側の分岐上に直接位置する動作は、方法の任意の特定の例において相互に排他的な選択肢であり得る。
【００８１】
図７を参照すると、方法６００は、追加の動作７００のうちの１つまたは複数を含み得る。たとえば、方法６００の６２０において示されるように第２のインジケーションを提供することはさらに、７１０において、基地局が、クロスサブフレームスケジューリングを使用して、サブフレームの指定されたセットを示すことを含み得る。たとえば、基地局は、ＰＤＣＣＨのためにクロスサブフレームスケジューリングを使用することができ、１つのサブフレームに対するＰＤＣＣＨ信号は、異なるサブフレームに割り当てられる。基地局は、クロスサブフレームスケジューリングパターンのインジケーションを、モバイルエンティティに提供することができる。代替的に、または加えて、スケジューリングパターンは、基地局およびモバイルエンティティによって共有されるプロトコルの採用によって、前もって指定され得る。いずれの場合でも、クロスサブフレーム制御シグナリングに対するスケジューリングパターンの使用は、何らかの制御信号を欠いているサブフレームの指定されたセットの暗黙的なインジケーションとして使用され得る。
【００８２】
方法６００はさらに、７２０において、基地局が、７３０および７４０において示される代替形態に従って、指定されたダウンリンク制御信号を欠いているサブフレームの指定されたセットを維持することを含み得る。代替形態７３０において、方法６００は、基地局によってサービスされるモバイルエンティティのサブセットのために、指定されたダウンリンク制御信号を欠いているサブフレームの指定されたセットを維持することを含んでよく、サブセットは、基地局によってサービスされる、すべてではない１つまたは複数のモバイルエンティティを含む。たとえば、サブフレームの指定されたセットは、ＵＥＳＳにおいてダウンリンク制御信号を欠いていることがある。別の代替形態７４０では、方法６００は、基地局によってサービスされるすべてのモバイルエンティティに対する指定されたダウンリンク制御信号を欠いた、サブフレームの指定されたセットを維持することを含み得る。たとえば、サブフレームの指定されたセットは、ＣＳＳにおいてダウンリンク制御信号を欠いていることがある。
【００８３】
図８を参照すると、方法６００は、８１０において、アップリンクハイブリッド自動再送要求（Ｈ−ＡＲＱ）のタイミング関係に基づいて、サブフレームの指定されたセットと関連付けられるアップリンクサブフレーム中で、物理アップリンク共有チャネル（ＰＵＳＣＨ）送信を受信することを含む、追加の動作８００を含み得る。ＰＵＳＣＨ送信は、ＰＤＣＣＨサブフレームにおいてスケジューリングされ得るが、その再送信のインスタンスは、制御レスサブフレームに落ちる。したがって、サブフレームの指定されたセットを受信するモバイルエンティティは、基地局からのインジケーションに基づいて、非適応ＰＵＳＣＨの再送信が落ちる制御レスサブフレームにおける、非適応ＰＵＳＣＨの再送信を中止することができる。代替的に、制御レスサブフレームの指定されたセットを受信するモバイルエンティティは、制御レスサブフレームにおける、適応的な再送信または非適応的な再送信をサポートすることができる。さらなる詳細が、モバイルエンティティに関連する態様とともに本明細書で論じられる。
【００８４】
方法６００は、８２０において、アップリンクＨ−ＡＲＱのタイミング関係に基づいて、サブフレームの指定されたセットの１つの中で、新たな制御領域を使用した制御信号によってスケジューリングされる適応ＰＵＳＣＨ送信を受信することを含み得る。方法６００は、８３０において、基地局が、アップリンクサブフレームにおいて半永続スケジューリング（ＳＰＳ）送信を受信することを含み得る。
【００８５】
図９Ａを参照すると、方法６００は、９１０において、モバイルエンティティに対する制御レスサブフレームの指定されたセット以外のサブフレームにおいてレガシーの制御チャネル領域のみを使用して、ＰＤＣＣＨ信号をスケジューリングすることを含む、追加の動作９００を含み得る。ＰＤＣＣＨ信号をスケジューリングすることは、９２０において、たとえば、クロスサブフレームスケジューリングを可能にしないサブフレームにおいてＰＤＣＣＨ信号を送信するときと同じ数のブラインド復号動作を必要とするようにＰＤＣＣＨ信号をスケジューリングすることによって、サブフレームの何個の指定されたセットがＰＤＣＣＨ信号を欠いているかに関係なく、ＰＤＣＣＨ信号に必要とされる一定の数のブラインド復号動作を維持することを含み得る。方法６００は、９３０において、モバイルエンティティに対する複数のサブフレームのためのダウンリンクデータ送信をスケジューリングする情報を含む、第１のサブフレームにおいて、基地局がＰＤＣＣＨ信号をスケジューリングすることを含み得る。代替的に、または加えて、方法６００は、９４０において、第１のサブフレームにおいて、モバイルエンティティに固有の複数の検索空間を割り当てることを含んでよく、各検索空間は、対応するダウンリンクデータ送信のサブフレームインデックスに少なくとも一部基づく。
【００８６】
図９Ｂを参照すると、方法６００は、９６０において、基地局によってサービスされるモバイルエンティティの少なくとも１つのサブセットに対するサブフレームの指定されたセットと関連付けられる少なくとも１つのサブフレーム中で、新たな制御領域からのダウンリンク制御信号をスケジューリングすることを含み得る。新たな制御領域は、クロスサブフレームシグナリングのために定義され、制御レスサブフレームの指定されたセットのための制御シグナリングを搬送するための指定されたサブフレームにおいて含まれ得る。代替的に、または加えて、方法は、９７０において、指定されたダウンリンク制御信号を欠いた、サブフレームの指定されたセットを維持することを含んでよく、指定されたダウンリンク制御信号は、レガシー制御領域からの信号である。別の態様では、方法６００は、９８０において、基地局によってサービスされるモバイルエンティティの少なくとも１つのサブセットに対するサブフレームの指定されたセットと関連付けられる少なくとも１つのサブフレーム中で、ＰＤＳＣＨを送信することを含み得る。方法６００はさらに、９９０において、アップリンクＨ−ＡＲＱのタイミング関係に基づいて、サブフレームの指定されたセットの１つと関連付けられるアップリンクサブフレーム中で、ＰＵＳＣＨ送信を中止することを含み得る。
【００８７】
図１０を参照すると、複数のサブフレームへと編成されたワイヤレス信号を提供するための、ワイヤレスネットワーク中のネットワークエンティティとして、またはネットワークエンティティ内で使用するためのプロセッサまたは同様のデバイスとして構成され得る、例示的な装置１０００が提供される。装置１０００は、プロセッサ、ソフトウェア、またはこれらの組合せ（たとえば、ファームウェア）によって実装される機能を表し得る機能ブロックを含み得る。
【００８８】
示されるように、一実施形態では、装置１０００は、基地局からの送信において、指定されたダウンリンク制御信号を欠いている共通のキャリア上のサブフレームの指定されたセットを維持するための第１のインジケーションを、ＷＣＳのネットワークエンティティから受信するための電気コンポーネント、モジュール、または手段１００２を含み得る。たとえば、電気コンポーネントまたは手段１００２は、送受信機１０１４などに結合され、サブフレーム構成に関するネットワークエンティティからの命令を受信するための命令を有するメモリ１０１６に結合された、少なくとも１つの制御プロセッサ１０１０を含み得る。制御プロセッサ１０１０は、メモリコンポーネント１０１６においてプログラム命令として保持され得る、アルゴリズムを動作させることができる。アルゴリズムは、たとえば、所定の通信プロトコルに従って、ネットワークコンポーネントから信号を受信することと、信号を処理してサブフレームの指定されたセットを定義する命令を発見することとを含み得る。
【００８９】
装置１０００は、指定されたセット中でのサブフレームの識別を可能にする第２のインジケーションを、ワイヤレス送信でモバイルエンティティに提供するための電気コンポーネントまたは手段１００４を含み得る。たとえば、電気コンポーネントまたは手段１００４は、送受信機１０１４などに結合され、サブフレームを含む送信よりも前に第２のインジケーションを１つまたは複数のモバイルエンティティに送信するための命令を保持するメモリ１０１６に結合された、少なくとも１つの制御プロセッサ１０１０を含み得る。制御プロセッサ１０１０は、メモリコンポーネント１０１６においてプログラム命令として保持され得る、アルゴリズムを動作させることができる。アルゴリズムは、たとえば、所定のプロトコルに従って、サブフレームの指定されたセットを示す所定の値へと１つまたは複数のデータビットを設定すること、または、示唆されるシグナリングプロトコルに従って、制御レスサブフレームの事前に定義されたセットの使用を示唆するシグナリングを送信することを含み得る。装置１０００は、説明を簡単にするために図１０に示されない、図７、図８、図９Ａ、図９Ｂに関連して説明された追加の動作７００、８００、９００、または９５０のいずれかまたはすべてを実行するための同様の電気コンポーネントを含み得る。
【００９０】
関連する態様では、ネットワークエンティティとして構成された装置１０００の場合、装置１０００は、少なくとも１つのプロセッサを有するプロセッサコンポーネント１０１０を任意選択で含み得る。プロセッサ１０１０は、そのような場合、バス１０１２または同様の通信結合を介してコンポーネント１００２〜１００４または同様のコンポーネントと動作可能に通信し得る。プロセッサ１０１０は、電気コンポーネント１００２〜１００４によって実行される処理または機能の起動とスケジューリングとを実施し得る。プロセッサ１０１０は、全体的にまたは部分的に、コンポーネント１００２〜１００４を包含し得る。代替的に、プロセッサ１０１０は、１つまたは複数の別個のプロセッサを含み得るコンポーネント１００２〜１００４とは別個であり得る。
【００９１】
さらなる関連する態様では、装置１０００は、無線送受信機コンポーネント１０１４を含み得る。送受信機１０１４の代わりに、または送受信機１０１４とともに、スタンドアロン受信機および／またはスタンドアロン送信機が使用され得る。代替的に、または加えて、装置１０００は、異なるキャリア上で送信および受信するために使用され得る、複数の送受信機または送信機／受信機ペアを含み得る。装置１０００は、たとえば、メモリデバイス／コンポーネント１０１６のような、情報を記憶するためのコンポーネントを任意選択で含み得る。コンピュータ可読媒体またはメモリコンポーネント１０１６は、バス１０１２などを介して装置１０００の他のコンポーネントに動作可能に結合され得る。メモリコンポーネント１０１６は、コンポーネント１００２〜１００４、およびそれらのサブコンポーネント、またはプロセッサ１０１０、追加の態様７００、８００、９００、もしくは９５０、または本明細書で開示される方法の活動を実行するための、コンピュータ可読命令とデータとを記憶するように適合され得る。メモリコンポーネント１０１６は、コンポーネント１００２〜１００４に関連する機能を実行するための命令を保持し得る。メモリ１０１６の外部にあるものとして示されているが、コンポーネント１００２〜１００４はメモリ１０１６の内部に存在してよいことを理解されたい。
【００９２】
方法６００を実行する基地局からダウンリンク制御信号を受信するモバイルエンティティは、図１１に示されるように、方法１１００を実行して、基地局からの情報を利用することができる。モバイルエンティティは、本明細書で説明される様々な形式のいずれかのエンティティ、たとえばＵＥを備え得る。方法１１００は、複数のサブフレームに分割される周波数および時間が示されたリソースグリッドを使用して、ワイヤレス通信システムのモバイルエンティティにおいて共通のキャリア上のダウンリンク制御信号を使用することを含み得る。方法１１００は、１１１０において、ＷＣＳの基地局から、制御レスサブフレームを識別するためのインジケーションを受信することを含み得る。このインジケーションは、専用のシグナリングを使用した明示的なインジケーションであってよく、または、たとえばクロスサブフレームシグナリングのためのスケジューリングパターンを使用した、暗黙的なインジケーションであってよい。暗黙的なインジケーションは、モバイルエンティティおよびインジケーションを提供する基地局によって採用される、事前に定義されたプロトコルに従って受信され得る。そのような暗黙的なインジケーションは、定義されたまたがったスケジューリングのパターンに従ってサブフレームが受信されたときに、実際に受信され得る。
【００９３】
方法１１００はさらに、１１２０において、モバイルエンティティが、インジケーションを使用して、指定されたダウンリンク制御信号を欠いている共通のキャリア上のサブフレームの指定されたセットを識別することを含み得る。サブフレームの指定されたセットは、たとえば、オールモストブランクサブフレーム、または別のタイプの制御レスサブフレームであってよい。サブフレームの指定されたセットは、サブフレームのより大きなセットに含まれてよく、サブフレームのより大きなセットは、指定されたダウンリンク制御信号を搬送するためのいくつかのサブフレームを含む。指定されたダウンリンク制御信号は、たとえば、ブラインド復号の候補である物理ダウンリンク制御チャネル信号を含んでよく、何らかの他のダウンリンク信号、たとえば、ＰＳＳ、ＳＳＳ、ＰＢＣＨ、ＳＩＢ１、ページング、および／またはＰＲＳ信号を含まなくてよい。指定された制御レスサブフレームを識別することは、どのサブフレームが制御レスサブフレームの指定されたセットに含まれているかを検出または判定することを含み得る。識別の動作は、特定のサブフレームが制御レスサブフレームの指定されたセットの１つとして識別されるかどうかに応答して行われる具体的な動作によって、モバイルエンティティにおいて明らかにされ得る。上で述べられたように、モバイルエンティティは、制御レスサブフレームを識別することによって、ダウンリンク制御信号を処理するために必要なブラインド復号動作の数を制御または低減することができる。これによって、オーバーヘッド処理の要件を減らし、ダウンリンク制御信号の処理を高速化することができる。
【００９４】
図１２〜図１５はさらに、方法１１００とともにモバイルエンティティによって実行され得る、任意選択の動作または態様１２００と、１３００と、１４００と、１４５０と、１５００とを示す。図１２〜図１５に示される動作は、方法１１００を実行するために必要とされない。上流のブロックの反対側の分岐上に直接位置しない限り、動作は独立に実行され、相互に排他的ではない。したがって、別の下流の動作または上流の動作が実行されるかどうかにかかわらず、そのような動作のうちのいずれか１つが実行され得る。方法１１００が図１２〜図１５の少なくとも１つの動作を含む場合、方法１１００は、必ずしも、図示され得るいかなる後続の（１つまたは複数の）下流の動作をも含む必要なく、少なくとも１つの動作の後に終了し得る。逆に、ブロックの反対側の分岐上に直接位置する動作は、方法の任意の特定の例において相互に排他的な選択肢であり得る。
【００９５】
図１２を参照すると、方法１１００は、追加の動作１２００のうちの１つまたは複数を含み得る。方法１１００はさらに、１２１０において、サブフレームの指定されたセットを示すクロスサブフレームスケジューリングをモバイルエンティティが受信することを含み得る。１１２０および１２２０において示されるように、モバイルエンティティは続いて、クロスサブフレームスケジューリングを使用して、制御レスサブフレームの指定されたセットを識別することができる。
【００９６】
図１３を参照すると、方法１１００は、追加の動作１３００のうちの１つまたは複数を含み得る。方法１１００はさらに、１３１０において、Ｈ−ＡＲＱのタイミング関係に基づいて、サブフレームの指定されたセットの１つと関連付けられるアップリンクサブフレーム中で、ＰＵＳＣＨを送信することを含み得る。方法１１００はさらに、１３２０において、Ｈ−ＡＲＱのタイミング関係に基づいて、サブフレームの指定されたセットと連結されるサブフレームにおいて、要求された再送データの再送信を中止することを含み得る。
【００９７】
方法１１００はさらに、１３３０において、Ｈ−ＡＲＱサブフレームが制御レスサブフレームと時間的に一致する場合に、要求された再送データの再送信の中止させるために、モバイルエンティティ内で物理レイヤからＭＡＣレイヤに肯定的なＡＣＫを提供することを含み得る。モバイルエンティティが制御レスサブフレームを検出できず、したがって問題のサブフレームが制御レスかどうか判定できない場合、モバイルエンティティは、ＰＵＳＣＨの再送信を制御レスサブフレームにおいて試みることがあり、望ましくないＰＨＩＣＨの非連続的な送信またはＡＣＫを引き起こし、ＰＵＳＣＨの再送信の中止、または可能性はより低いが、ＰＤＣＣＨの誤った警告をもたらす。
【００９８】
代替的に、モバイルエンティティは、制御レスサブフレームにおける、適応的な再送信または非適応的な再送信をサポートすることができる。適応的な再送信は、ｒｅｌａｙ  ＰＨＩＣＨシグナリングまたはクロスサブフレームスケジューリングによってサポートされる、適応的なＰＵＳＣＨ送信をモバイルエンティティが使用することを含み得る。たとえば、方法１１００は、１３４０において、Ｈ−ＡＲＱのタイミング関係に基づいて、すなわち、Ｈ−ＡＲＱサブフレームが制御レスサブフレームと時間的に一致する場合、クロスサブフレーム物理ハイブリッドＡＲＱインジケータチャネル（ＰＨＩＣＨ）または中継ＰＨＩＣＨの１つを介して、サブフレームの指定されたセットと連結される少なくとも１つのサブフレームにおいて、要求された再送データを再送信することを含み得る。さらなる代替形態によれば、再送信は、制御レス構成に適合された別のＰＤＣＣＨ対応サブフレームにおいて実行され得る。たとえば、モバイルエンティティは、４ミリ秒または何らかの他のオフセット期間において、またはその後、ＰＤＣＣＨサブフレームに対応する第１のアップリンクサブフレームにおいて再送信することができる。この代替形態では、モバイルエンティティは、Ｈ−ＡＲＱのタイムラインを本質的に改変する。
【００９９】
図１４Ａを参照すると、方法１１００は、追加の動作１４００のうちの１つまたは複数を含み得る。方法１１００はさらに、１４１０において、アップリンクＨ−ＡＲＱのタイミング関係に基づいて、サブフレームの指定されたセットと関連付けられるアップリンクサブフレームの中で、新たな制御領域を使用した制御信号によってスケジューリングされる適応ＰＵＳＣＨ送信を送信することを含み得る。方法１１００はさらに、１４２０において、アップリンクサブフレームにおいて、半永続スケジューリング（ＳＰＳ）送信を送信することを含み得る。サブフレームの第２のセットは、ＳＰＳ信号を欠いていることがあり、このときサブフレームの第２のセットは、Ｈ−ＡＲＱのタイミング関係に基づいて、指定された制御レスサブフレームと連結される。ＳＰＳ信号を欠いているサブフレームは、Ｈ−ＡＲＱサブフレームの周期の整数倍で、かつ時間的に一致してスケジューリングされ得る。代替的には、サブフレームの第２のセットは、ＳＰＳ信号を含んでよく、サブフレームの第２のセットは、Ｈ−ＡＲＱのタイミング関係に基づいて、指定された制御レスサブフレームと連結される。ＳＰＳ信号を含むサブフレームは、Ｈ−ＡＲＱサブフレームの周期の整数倍ではない周期で、かつ時間的に一致せずにスケジューリングされ得る。ＳＰＳサブフレームは、制御レスサブフレームのパターンのより短い周期の倍数ではない周期によって、たとえば、制御レスサブフレームの周期が８ミリ秒の場合は２０ミリ秒のＳＰＳ周期というように、構成され得る。この例では、制御レスサブフレームは、ＳＰＳ周期の半分だけの間、アップリンク送信のためのＳＰＳとは異なる時間において受信される（４０は８の倍数であり、したがって時間的に一致する周期となるが、２０はそうならないため）。１つのアプローチでは、ＳＰＳは、制御レスサブフレームが落ちるときは無効にされてよく、これによって、モバイルエンティティが非連続的な受信または送信を使用できる場合に電力を節約することができる。代替的に、ＳＰＳは、制御レスサブフレームにおいて有効にされてよい。
【０１００】
図１４Ｂを参照すると、方法は、１４６０において、サブフレームの指定されたセットと関連付けられる少なくとも１つのサブフレーム中で、新たな制御領域でダウンリンク制御信号を受信することを含み得る。方法はさらに、１４７０において、指定されたサブフレームと関連付けられる少なくとも１つのサブフレーム中で、ＰＤＳＣＨを受信することを含み得る。
【０１０１】
図１５を参照すると、方法１１００は、追加の動作１５００のうちの１つまたは複数を含み得る。方法１１００はさらに、１５１０において、制御レスサブフレームの指定されたセット以外のサブフレームにおいて、ＰＤＣＣＨ信号のみを受信することを含み得る。制御レスサブフレームのパターンは、基地局からのクロスサブフレームスケジューリングによって、暗黙的に示され得る。したがって、方法１１００はさらに、１５２０において、ＰＤＣＣＨ信号のスケジューリング構成に従って、ある数のブラインド復号動作を実行することを含み得る。クロスサブフレームスケジューリング構成は、様々な代替形態によれば、基地局によって提供され得る。１つの代替形態では、方法１１００はさらに、１５３０において、サブフレームの何個の指定されたセットがＰＤＣＣＨ信号を欠いているかに関係なく、ＰＤＣＣＨ信号に対する一定の数のブラインド復号動作を実行することを含み得る。この代替形態では、ブラインド復号動作の数は、クロススケジューリングされていないサブフレームと比較して増やされないが、基地局は、スケジューリングの柔軟性が下がることによる影響を受け得る。他の代替形態は、サブフレームにクロススケジューリングされたサブフレームにおいて、ＰＤＣＣＨ信号に対して、より多数のブラインド復号動作を実行することを含み得る。これらの代替形態は、たとえば、線形の増加、または線形の増加よりも緩やかな何らかの増加を含み得る。増加の量は、基地局によって設定可能であり得る。これらの代替形態は、モバイルエンティティにおけるブラインド復号動作の複雑さが大きくなり回数が増えることと引き換えに、基地局に対するスケジューリングの柔軟性をより高くすることを可能にし得る。
【０１０２】
方法１１００はさらに、１５４０において、モバイルエンティティに対する複数のサブフレームのためのダウンリンクデータ送信をスケジューリングする情報を含む、第１のサブフレームにおいて、ＰＤＣＣＨ信号を受信することを含み得る。方法１１００はさらに、１５５０において、第１のサブフレーム中の、モバイルエンティティに固有の複数の検索空間にアクセスすることを含んでよく、各検索空間は、対応するダウンリンクデータ送信のサブフレームインデックスに少なくとも一部基づく。
【０１０３】
図１６を参照すると、基地局からのダウンリンク制御信号を処理するための、ワイヤレスネットワーク中のモバイルエンティティまたはＵＥとして、またはＭＥまたはＵＥ内で使用するためのプロセッサまたは同様のデバイスとして構成され得る、例示的な装置１６００が提供される。装置１６００は、プロセッサ、ソフトウェア、またはこれらの組合せ（たとえば、ファームウェア）によって実装される機能を表し得る機能ブロックを含み得る。
【０１０４】
一実施形態では、装置１６００は、指定されたダウンリンク制御信号を欠いているサブフレームの指定されたセットに関するインジケーションを基地局から受信するための、電気コンポーネント、手段またはモジュール１６０２を含み得る。たとえば、電気コンポーネント１６０２は、送受信機１６１４などに結合され、インジケーションを正しいコンテキストで受信し認識するための命令を有するメモリ１６１６に結合された、少なくとも１つの制御プロセッサ１６１０を含み得る。制御プロセッサ１６１０は、メモリコンポーネント１６１６においてプログラム命令として保持され得る、アルゴリズムを動作させることができる。アルゴリズムは、たとえば、基地局からデータまたは信号を受信することと、指定された制御信号を欠いているサブフレームの特定のセットを表すもの、または暗黙的に示すものとして、データまたは信号を認識することとを含み得る。
【０１０５】
装置１６００は、インジケーションを使用して、指定されたダウンリンク制御信号を欠いている共通のキャリア上のサブフレームの指定されたセットを識別するための電気コンポーネント１６０４を含み得る。たとえば、電気コンポーネント１６０４は、送受信機１６１４などに結合され、インジケーションによって与えられる情報を使用して制御レスサブフレームを識別するための命令を保持するメモリ１６１６に結合された、少なくとも１つの制御プロセッサ１６１０を含み得る。制御プロセッサ１６１０は、メモリコンポーネント１６１６においてプログラム命令として保持され得る、アルゴリズムを動作させることができる。アルゴリズムは、たとえば、システム信号と同期することと、同期信号に基づいて、共通のキャリア上で送信されるサブフレームのサブフレームインデックスを判定するステップと、サブフレームインデックス値およびコンポーネント１６０２によって提供されるセットインジケーションに基づいて、制御レスサブフレームを識別するステップとを含み得る。装置１６００は、説明を簡単にするために図１６に示されない、図１２〜図１５に関連して説明された追加の動作１２００、１３００、１４００、１４５０、または１５００のいずれかまたはすべてを実行するための同様の電気コンポーネントを含み得る。
【０１０６】
関連する態様では、モバイルエンティティとして構成された装置１６００の場合、装置１６００は、少なくとも１つのプロセッサを有するプロセッサコンポーネント１６１０を任意選択で含み得る。プロセッサ１６１０は、そのような場合、バス１６１２または同様の通信結合を介して、コンポーネント１６０２〜１６０４または同様のコンポーネントと動作可能に通信し得る。プロセッサ１６１０は、電気コンポーネント１６０２〜１６０４によって実行される処理または機能の起動とスケジューリングとを実施し得る。プロセッサ１６１０は、全体的にまたは部分的に、コンポーネント１６０２〜１６０４を包含し得る。代替的に、プロセッサ１６１０は、１つまたは複数の別個のプロセッサを含み得るコンポーネント１６０２〜１６０４とは別個であり得る。
【０１０７】
さらなる関連する態様では、装置１６００は、無線送受信機コンポーネント１６１４を含み得る。送受信機１６１４の代わりに、または送受信機１６１４とともに、スタンドアロン受信機および／またはスタンドアロン送信機が使用され得る。代替または追加として、装置１６００は、異なるキャリア上で送信および受信するために使用され得る、複数の送受信機または送信機／受信機ペアを含み得る。装置１６００は、たとえば、メモリデバイス／コンポーネント１６１６のような、情報を記憶するためのコンポーネントを任意選択で含み得る。コンピュータ可読媒体またはメモリコンポーネント１６１６は、バス１６１２などを介して装置１６００の他のコンポーネントに動作可能に結合され得る。メモリコンポーネント１６１６は、コンポーネント１６０２〜１６０４、およびそれらのサブコンポーネント、またはプロセッサ１６１０、または追加の態様１２００、１３００、１４００、１４５０、もしくは１５００、または本明細書で開示される方法の活動を実行するための、コンピュータ可読命令とデータとを記憶するように適合され得る。メモリコンポーネント１６１６は、コンポーネント１６０２〜１６０４に関連する機能を実行するための命令を保持し得る。メモリ１６１６の外部にあるものとして示されているが、コンポーネント１６０２〜１６０４はメモリ１６１６内に存在してよいことを理解されたい。
【０１０８】
情報および信号は様々な異なる技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界もしくは磁性粒子、光場もしくは光学粒子、またはそれらの任意の組合せによって表され得る。
【０１０９】
さらに、本明細書の開示に関連して説明された様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的なコンポーネント、ブロック、モジュール、回路、およびステップを、上記では概してそれらの機能に関して説明した。そのような機能をハードウェアとして実装するか、ソフトウェアとして実装するかは、具体的な適用例および全体的なシステムに課される設計制約に依存する。当業者は、説明された機能を具体的な適用例ごとに様々な方法で実装することができるが、そのような実装の決定は、本開示の範囲からの逸脱を生じるものと解釈すべきではない。
【０１１０】
本明細書の開示に関連して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタロジック、個別ハードウェアコンポーネント、または本明細書に記載の機能を実行するように設計されたそれらの任意の組合せを用いて実装または実行され得る。汎用プロセッサはマイクロプロセッサであってよいが、代替として、プロセッサは任意の従来のプロセッサ、コントローラ、マイクロコントローラ、または状態機械であってよい。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成として実装され得る。
【０１１１】
本明細書の開示に関して説明された方法またはアルゴリズムのステップは、直接ハードウェアで具現化されてよく、プロセッサによって実行されるソフトウェアモジュールで具現化されてよく、またはその２つの組合せで具現化されてよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサと一体化され得る。プロセッサおよび記憶媒体はＡＳＩＣ中に常駐し得る。ＡＳＩＣは、ユーザ端末内に常駐し得る。代替として、プロセッサおよび記憶媒体は、ユーザ端末内に個別コンポーネントとして常駐し得る。
【０１１２】
１つまたは複数の例示的な設計では、説明された機能は、ハードウェア、ソフトウェア、ファームウェア、または任意のそれらの組合せで実装され得る。ソフトウェアで実装される場合、機能は、１つまたは複数の命令またはコードとしてコンピュータ可読媒体上に記憶され、またはコンピュータ可読媒体を介して送信され得る。コンピュータ可読媒体は、ある場所から別の場所へのコンピュータプログラムの転送を可能にする任意の非一時的有形媒体を含む、コンピュータ記憶媒体とコンピュータ通信媒体の両方を含む。記憶媒体は、汎用または専用コンピュータによってアクセスされ得る任意の利用可能な媒体であってよい。限定ではなく例として、そのようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気ストレージデバイス、または、命令またはデータ構造の形態の所望のプログラムコード手段を搬送または記憶するために使用され、汎用もしくは専用コンピュータまたは汎用もしくは専用プロセッサによってアクセスされ得る、任意の他の媒体を備え得る。本明細書で使用されるディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、磁気的に符号化されたデータを保持し、ディスク（disc）は、光学的に符号化されたデータを保持する。上記の組合せもコンピュータ可読媒体の範囲内に含めるべきである。
【０１１３】
本開示の前述の説明は、いかなる当業者でも本開示を作成または使用することができるように提供される。本開示への様々な修正は当業者には容易に明らかであり、本明細書で定義された一般原理は、本開示の趣旨または範囲から逸脱することなく他の変形形態に適用され得る。したがって、本開示は、本明細書で説明される例および設計に限定されるものではなく、本明細書で開示される原理および新規の特徴に合致する最も広い範囲を与えられるべきである。
以下に、本願出願の当初の特許請求の範囲に記載された発明を付記する。
［Ｃ１］
複数のサブフレームに分割される周波数および時間が示されたリソースグリッドを使用して、ワイヤレス通信システム（ＷＣＳ）の基地局からの共通のキャリア上のダウンリンク制御信号を管理するための方法であって、
前記基地局からの送信において指定されたダウンリンク制御信号を欠いている共通キャリア上のサブフレームの指定されたセットを維持するために、前記ＷＣＳのネットワークエンティティから、第１のインジケーションを受信することと、
前記指定されたセット中のサブフレームの識別を可能にする第２のインジケーションを、ワイヤレス送信でモバイルエンティティに提供することと
を備える、方法。
［Ｃ２］
前記基地局によってサービスされるモバイルエンティティのサブセットに対する前記指定されたダウンリンク制御信号を欠いた、前記サブフレームの指定されたセットを維持することをさらに備える、
請求項１に記載の方法。
［Ｃ３］
前記基地局によってサービスされるすべてのモバイルエンティティに対する前記指定されたダウンリンク制御信号を欠いた、前記サブフレームの指定されたセットを維持することをさらに備える、
請求項１に記載の方法。
［Ｃ４］
前記第２のインジケーションを提供することは、クロスサブフレームスケジューリングを使用して、前記サブフレームの指定されたセットを示すことをさらに備える、請求項１に記載の方法。
［Ｃ５］
前記指定されたダウンリンク制御信号を欠いた、前記サブフレームの指定されたセットを維持することをさらに備え、前記指定されたダウンリンク制御信号は、レガシー制御領域からの信号である、
請求項１に記載の方法。
［Ｃ６］
前記基地局によってサービスされるモバイルエンティティの少なくとも１つのサブセットに対する前記サブフレームの指定されたセットと関連付けられる少なくとも１つのサブフレーム中で、新たな制御領域からのダウンリンク制御信号をスケジューリングすることをさらに備える、
請求項１に記載の方法。
［Ｃ７］
前記基地局によってサービスされるモバイルエンティティの少なくとも１つのサブセットに対する前記サブフレームの指定されたセットと関連付けられる前記少なくとも１つのサブフレーム中で、物理ダウンリンク共有チャネル（ＰＤＳＣＨ）を送信することをさらに備える、
請求項６に記載の方法。
［Ｃ８］
アップリンクハイブリッド自動再送要求（Ｈ−ＡＲＱ）のタイミング関係に基づいて、前記サブフレームの指定されたセットと関連付けられるアップリンクサブフレーム中で、物理アップリンク共有チャネル（ＰＵＳＣＨ）送信を受信することをさらに備える、請求項１に記載の方法。
［Ｃ９］
前記アップリンクＨ−ＡＲＱのタイミング関係に基づいて、前記サブフレームの指定されたセットの１つの中で、新たな制御領域を使用した制御信号によってスケジューリングされる適応ＰＵＳＣＨ送信を受信することをさらに備える、
請求項８に記載の方法。
［Ｃ１０］
前記アップリンクサブフレームにおいて、半永続スケジューリング（ＳＰＳ）送信を受信することをさらに備える、
請求項８に記載の方法。
［Ｃ１１］
アップリンクＨ−ＡＲＱのタイミング関係に基づいて、前記サブフレームの指定されたセットの１つと関連付けられるアップリンクサブフレーム中で、ＰＵＳＣＨ送信を中止することをさらに備える、
請求項１に記載の方法。
［Ｃ１２］
モバイルエンティティに対する前記サブフレームの指定されたセット以外のサブフレームのみで、レガシー制御領域を使用して、物理ダウンリンク制御チャネル（ＰＤＣＣＨ）信号をスケジューリングすることをさらに備える、
請求項１に記載の方法。
［Ｃ１３］
前記ＰＤＣＣＨ信号をスケジューリングすることは、サブフレームの何個の指定されたセットがＰＤＣＣＨ信号を欠いているかに関係なく、ＰＤＣＣＨ信号に対する一定の数のブラインド復号動作を維持することをさらに備える、
請求項１２に記載の方法。
［Ｃ１４］
前記モバイルエンティティに対する複数のサブフレームのためのダウンリンクデータ送信をスケジューリングする情報を含む、第１のサブフレームにおいて、前記ＰＤＣＣＨ信号をスケジューリングすることをさらに備える、
請求項１２に記載の方法。
［Ｃ１５］
前記第１のサブフレームにおいて、前記モバイルエンティティに固有の複数の検索空間を割り当てることをさらに備え、各検索空間は、対応するダウンリンクデータ送信のサブフレームインデックスに少なくとも一部に基づく、
請求項１４に記載の方法。
［Ｃ１６］
複数のサブフレームに分割される周波数および時間が示されたリソースグリッドを使用して、ワイヤレス通信システム（ＷＣＳ）の基地局からのダウンリンク制御信号を管理するための装置であって、
前記基地局からの送信において、指定されたダウンリンク制御信号を欠いている共通のキャリア上のサブフレームの指定されたセットを維持するために、前記ＷＣＳのネットワークエンティティから、第１のインジケーションを受信するための手段と、
前記指定されたセット中のサブフレームの識別を可能にする第２のインジケーションを、ワイヤレス送信でモバイルエンティティに提供するための手段と
を備える、装置。
［Ｃ１７］
複数のサブフレームに分割される周波数および時間が示されたリソースグリッドを使用して、ワイヤレス通信システム（ＷＣＳ）の基地局からのダウンリンク制御信号を管理するための装置であって、
前記基地局からの送信において、指定されたダウンリンク制御信号を欠いている共通のキャリア上でサブフレームの指定されたセットを維持するために、前記ＷＣＳのネットワークエンティティから、第１のインジケーションを受信し、前記指定されたセット中のサブフレームの識別を可能にする第２のインジケーションを、ワイヤレス送信でモバイルエンティティに提供するために構成される、少なくとも１つのプロセッサと、
前記少なくとも１つのプロセッサに結合された、データを記憶するためのメモリとを備える、装置。
［Ｃ１８］
前記プロセッサは、前記基地局によってサービスされるモバイルエンティティのサブセットに対する前記指定されたダウンリンク制御信号を欠いた、前記サブフレームの指定されたセットを維持するためにさらに構成される、
請求項１７に記載の装置。
［Ｃ１９］
前記プロセッサは、前記基地局によってサービスされるすべてのモバイルエンティティに対する前記指定されたダウンリンク制御信号を欠いた、前記サブフレームの指定されたセットを維持するためにさらに構成される、
請求項１７に記載の装置。
［Ｃ２０］
前記プロセッサは、クロスサブフレームスケジューリングを使用して、前記サブフレームの指定されたセットを示すことによって、前記第２のインジケーションを提供するためにさらに構成される、
請求項１７に記載の装置。
［Ｃ２１］
前記プロセッサは、前記指定されたダウンリンク制御信号を欠いた、前記サブフレームの指定されたセットを維持するためにさらに構成され、前記指定されたダウンリンク制御信号は、レガシー制御領域からの信号である、
請求項１７に記載の装置。
［Ｃ２２］
前記プロセッサはさらに、前記基地局によってサービスされるモバイルエンティティの少なくとも１つのサブセットに対する前記サブフレームの指定されたセットと関連付けられる少なくとも１つのサブフレーム中で、新たな制御領域からのダウンリンク制御信号をスケジューリングするために構成される、
請求項１７に記載の装置。
［Ｃ２３］
前記プロセッサは、アップリンクハイブリッド自動再送要求（Ｈ−ＡＲＱ）のタイミング関係に基づいて、前記サブフレームの指定されたセットと関連付けられるアップリンクサブフレーム中で、物理アップリンク共有チャネル（ＰＵＳＣＨ）送信を受信するためにさらに構成される、
請求項１７に記載の装置。
［Ｃ２４］
前記プロセッサは、前記アップリンクＨ−ＡＲＱのタイミング関係に基づいて、前記サブフレームの指定されたセットの１つの中で、新たな制御領域を使用した制御信号によってスケジューリングされる適応ＰＵＳＣＨ送信を受信するためにさらに構成される、請求項２３に記載の装置。
［Ｃ２５］
前記プロセッサは、前記アップリンクサブフレームにおいて、半永続スケジューリング（ＳＰＳ）送信を受信するためにさらに構成される、
請求項２３に記載の装置。
［Ｃ２６］
前記プロセッサは、アップリンクＨ−ＡＲＱのタイミング関係に基づいて、前記サブフレームの指定されたセットの１つと関連付けられるアップリンクサブフレーム中で、ＰＵＳＣＨ送信を中止するためにさらに構成される、
請求項１７に記載の装置。
［Ｃ２７］
前記プロセッサは、モバイルエンティティに対する前記サブフレームの指定されたセット以外のサブフレームのみで、レガシー制御領域を使用して、物理ダウンリンク制御チャネル（ＰＤＣＣＨ）信号をスケジューリングするためにさらに構成される、
請求項１７に記載の装置。
［Ｃ２８］
前記プロセッサは、サブフレームの何個の指定されたセットがＰＤＣＣＨ信号を欠いているかに関係なく、ＰＤＣＣＨ信号に対する一定の数のブラインド復号動作を維持することによって、前記ＰＤＣＣＨ信号をスケジューリングするためにさらに構成される、請求項２７に記載の装置。
［Ｃ２９］
前記プロセッサは、前記モバイルエンティティに対する複数のサブフレームのためのダウンリンクデータ送信をスケジューリングする情報を含む、第１のサブフレームにおいて、前記ＰＤＣＣＨ信号をスケジューリングするためにさらに構成される、
請求項２７に記載の装置。
［Ｃ３０］
前記プロセッサは、前記第１のサブフレームにおいて、前記モバイルエンティティに固有の複数の検索空間を割り当てるためにさらに構成され、各検索空間は、対応するダウンリンクデータ送信のサブフレームインデックスに少なくとも一部に基づく、
請求項２９に記載の装置。
［Ｃ３１］
共通のキャリア上の複数のサブフレームに分割される周波数および時間が示されたリソースグリッドを使用して、ワイヤレス通信システム（ＷＣＳ）の基地局からのダウンリンク制御信号を管理するためのコンピュータプログラム製品であって、
前記基地局からの送信において、指定されたダウンリンク制御信号を欠いている共通のキャリア上でサブフレームの指定されたセットを維持するために、前記ＷＣＳのネットワークエンティティから、第１のインジケーションを受信し、前記指定されたセット中のサブフレームの識別を可能にする第２のインジケーションを、ワイヤレス送信でモバイルエンティティに提供するためのコードを備えるコンピュータ可読媒体を備える、コンピュータプログラム製品。
［Ｃ３２］
複数のサブフレームに分割される周波数および時間が示されたリソースグリッドを使用して、ワイヤレス通信システム（ＷＣＳ）のモバイルエンティティにおいて共通のキャリア上のダウンリンク制御信号を使用するための方法であって、
前記ＷＣＳの基地局からインジケーションを受信することと、
前記インジケーションを使用して、指定されたダウンリンク制御信号を欠いている共通のキャリア上のサブフレームの指定されたセットを識別することと
を備える、方法。
［Ｃ３３］
前記インジケーションを受信することは、前記サブフレームの指定されたセットを示すクロスサブフレームスケジューリングを受信することをさらに備える、
請求項３２に記載の方法。
［Ｃ３４］
前記サブフレームの指定されたセットと関連付けられる少なくとも１つのサブフレーム中で、新たな制御領域でダウンリンク制御信号を受信することをさらに備える、請求項３２に記載の方法。
［Ｃ３５］
前記指定されたサブフレームと関連付けられる前記少なくとも１つのサブフレーム中で、物理ダウンリンク共有チャネル（ＰＤＳＣＨ）を受信することをさらに備える、請求項３４に記載の方法。
［Ｃ３６］
アップリンクハイブリッド自動再送要求（Ｈ−ＡＲＱ）のタイミング関係に基づいて、前記サブフレームの指定されたセットの１つと関連付けられるアップリンクサブフレーム中で、物理アップリンク共有チャネル（ＰＵＳＣＨ）を送信することをさらに備える、請求項３２に記載の方法。
［Ｃ３７］
Ｈ−ＡＲＱのタイミング関係に基づいて、前記サブフレームの指定されたセットと連結されるサブフレームにおいて、要求された再送データの再送信を中止することをさらに備える、
請求項３６に記載の方法。
［Ｃ３８］
要求された再送データの前記再送信の中止させるために、肯定応答（ＡＣＫ）を前記モバイルエンティティ内で物理レイヤからメディアアクセス制御（ＭＡＣ）レイヤに提供することをさらに備える、
請求項３７に記載の方法。
［Ｃ３９］
Ｈ−ＡＲＱのタイミング関係に基づいて、クロスサブフレーム物理ハイブリッドＡＲＱインジケータチャネル（ＰＨＩＣＨ）または中継ＰＨＩＣＨ（Ｒ−ＰＨＩＣＨ）の１つを介して、前記サブフレームの指定されたセットと連結される少なくとも１つのサブフレームにおいて、要求された再送データを再送信することをさらに備える、
請求項３６に記載の方法。
［Ｃ４０］
前記アップリンクＨ−ＡＲＱのタイミング関係に基づいて、前記サブフレームの指定されたセットと関連付けられるアップリンクサブフレームの中で、新たな制御領域を使用した制御信号によってスケジューリングされる適応ＰＵＳＣＨ送信を送信することをさらに備える、
請求項３２に記載の方法。
［Ｃ４１］
前記アップリンクサブフレームにおいて、半永続スケジューリング（ＳＰＳ）送信を送信することをさらに備える、
請求項４０に記載の方法。
［Ｃ４２］
前記サブフレームの指定されたセット以外のサブフレームのみで、レガシー制御領域を使用して、物理ダウンリンク制御チャネル（ＰＤＣＣＨ）信号を受信することと、
前記ＰＤＣＣＨ信号のスケジューリング構成に従って、ある数のブラインド復号動作を実行することと
をさらに備える、請求項３２に記載の方法。
［Ｃ４３］
サブフレームの何個の指定されたセットがＰＤＣＣＨ信号を欠いているかに関係なく、ＰＤＣＣＨ信号に対する一定の数のブラインド復号動作を実行することをさらに備える、請求項３２に記載の方法。
［Ｃ４４］
前記モバイルエンティティに対する複数のサブフレームのためのダウンリンクデータ送信をスケジューリングする情報を含む、第１のサブフレームにおいて、前記ＰＤＣＣＨ信号を受信することをさらに備える、
請求項４３に記載の方法。
［Ｃ４５］
前記第１のサブフレーム中の、前記モバイルエンティティに固有の複数の検索空間にアクセスすることをさらに備え、各検索空間は、対応するダウンリンクデータ送信のサブフレームインデックスに少なくとも一部に基づく、
請求項３９に記載の方法。
［Ｃ４６］
複数のサブフレームに分割される周波数および時間が示されたリソースグリッドを使用して、ワイヤレス通信システム（ＷＣＳ）のモバイルエンティティにおいて共通のキャリア上のダウンリンク制御信号を使用するための装置であって、
前記ＷＣＳの基地局からインジケーションを受信することと、
前記インジケーションを使用して、指定されたダウンリンク制御信号を欠いている共通のキャリア上のサブフレームの指定されたセットを識別するための手段と
を備える、装置。
［Ｃ４７］
複数のサブフレームに分割される周波数および時間が示されたリソースグリッドを使用して、ワイヤレス通信システム（ＷＣＳ）のモバイルエンティティにおいて共通のキャリア上のダウンリンク制御信号を使用するための装置であって、
前記ＷＣＳの基地局からインジケーションを受信し、前記インジケーションを使用して、指定されたダウンリンク制御信号を欠いている共通のキャリア上のサブフレームの指定されたセットを識別するために構成される、少なくとも１つのプロセッサと、
前記少なくとも１つのプロセッサに結合された、データを記憶するためのメモリとを備える、装置。
［Ｃ４８］
前記プロセッサは、前記サブフレームの指定されたセットを示すクロスサブフレームスケジューリングを受信することによって、前記インジケーションを受信するためにさらに構成される、請求項４７に記載の装置。
［Ｃ４９］
前記プロセッサは、前記サブフレームの指定されたセットと関連付けられる少なくとも１つのサブフレーム中で、新たな制御領域でダウンリンク制御信号を受信するためにさらに構成される、
請求項４７に記載の装置。
［Ｃ５０］
前記プロセッサは、前記指定されたサブフレームと関連付けられる前記少なくとも１つのサブフレーム中で、物理ダウンリンク共有チャネル（ＰＤＳＣＨ）を受信するために構成される、
請求項４９に記載の装置。
［Ｃ５１］
前記プロセッサは、アップリンクハイブリッド自動再送要求（Ｈ−ＡＲＱ）のタイミング関係に基づいて、前記サブフレームの指定されたセットの１つと関連付けられるアップリンクサブフレーム中で、物理アップリンク共有チャネル（ＰＵＳＣＨ）を送信するためにさらに構成される、
請求項４７に記載の装置。
［Ｃ５２］
前記プロセッサは、Ｈ−ＡＲＱのタイミング関係に基づいて、前記サブフレームの指定されたセットと連結されるサブフレームにおいて、要求された再送データの再送信を中止するためにさらに構成される、
請求項５１に記載の装置。
［Ｃ５３］
前記プロセッサは、要求された再送データの前記再送信の中止させるために、肯定応答（ＡＣＫ）を前記モバイルエンティティ内で物理レイヤからメディアアクセス制御（ＭＡＣ）レイヤに提供するためにさらに構成される、
請求項５２に記載の装置。
［Ｃ５４］
前記プロセッサは、Ｈ−ＡＲＱのタイミング関係に基づいて、クロスサブフレーム物理ハイブリッドＡＲＱインジケータチャネル（ＰＨＩＣＨ）または中継ＰＨＩＣＨ（Ｒ−ＰＨＩＣＨ）の１つを介して、前記サブフレームの指定されたセットと連結される少なくとも１つのサブフレームにおいて、要求された再送データを再送信するためにさらに構成される、
請求項５１に記載の装置。
［Ｃ５５］
前記プロセッサは、前記アップリンクＨ−ＡＲＱのタイミング関係に基づいて、前記サブフレームの指定されたセットと関連付けられるアップリンクサブフレームの中で、新たな制御領域を使用した制御信号によってスケジューリングされる適応ＰＵＳＣＨ送信を送信するためにさらに構成される、
請求項４７に記載の装置。
［Ｃ５６］
前記プロセッサは、前記アップリンクサブフレームにおいて、半永続スケジューリング（ＳＰＳ）送信を送信するためにさらに構成される、
請求項５５に記載の装置。
［Ｃ５７］
前記プロセッサは、前記サブフレームの指定されたセット以外のサブフレームのみで、レガシー制御領域を使用して、物理ダウンリンク制御チャネル（ＰＤＣＣＨ）信号を受信し、
前記ＰＤＣＣＨ信号のスケジューリング構成に従って、ある数のブラインド復号動作を実行するために構成される、
請求項４７に記載の装置。
［Ｃ５８］
前記プロセッサは、サブフレームの何個の指定されたセットがＰＤＣＣＨ信号を欠いているかに関係なく、ＰＤＣＣＨ信号に対する一定の数のブラインド復号動作を実行するためにさらに構成される、
請求項４７に記載の装置。
［Ｃ５９］
前記プロセッサは、前記モバイルエンティティに対する複数のサブフレームのためのダウンリンクデータ送信をスケジューリングする情報を含む、第１のサブフレームにおいて、前記ＰＤＣＣＨ信号を受信するためにさらに構成される、
請求項４７に記載の装置。
［Ｃ６０］
前記プロセッサは、前記第１のサブフレーム中の、前記モバイルエンティティに固有の複数の検索空間にアクセスするためにさらに構成され、各検索空間は、対応するダウンリンクデータ送信のサブフレームインデックスに少なくとも一部に基づく、
請求項５９に記載の装置。
［Ｃ６１］
複数のサブフレームに分割される周波数および時間が示されたリソースグリッドを使用して、ワイヤレス通信システム（ＷＣＳ）のモバイルエンティティにおいて共通のキャリア上のダウンリンク制御信号を使用するためのコンピュータプログラム製品であって、
前記ＷＣＳの基地局からインジケーションを受信し、前記インジケーションを使用して、指定されたダウンリンク制御信号を欠いている共通のキャリア上のサブフレームの指定されたセットを識別するためのコードを備えるコンピュータ可読媒体を備える、コンピュータプログラム製品。
【図１】
0005784832.tif 000002
【図２】
0005784832.tif 000003
【図３】
0005784832.tif 000004
【図４Ａ】
0005784832.tif 000005
【図４Ｂ】
0005784832.tif 000006
【図５Ａ】
0005784832.tif 000007
【図５Ｂ】
0005784832.tif 000008
【図５Ｃ】
0005784832.tif 000009
【図５Ｄ】
0005784832.tif 000010
【図６】
0005784832.tif 000011
【図７】
0005784832.tif 000012
【図８】
0005784832.tif 000013
【図９Ａ】
0005784832.tif 000014
【図９Ｂ】
0005784832.tif 000015
【図１０】
0005784832.tif 000016
【図１１】
0005784832.tif 000017
【図１２】
0005784832.tif 000018
【図１３】
0005784832.tif 000019
【図１４Ａ】
0005784832.tif 000020
【図１４Ｂ】
0005784832.tif 000021
【図１５】
0005784832.tif 000022
【図１６】
0005784832.tif 000023